(57)【要約】      （修正有）【課題】既存構造物のアングル材に容易に取り付けられる補強装置、および付帯設備を取り付けることもできる付帯設備取付装置を提供する。【解決手段】アングル材12の両辺を外側から挟持する２つのバンド部材と、アングル材12の両辺が形成する角度を二分するようにアングル材12の内側角部から離間する方向に延在して配置されるバンド補助部材と、バンド補助部材の延在端部と各バンド部材の一端部とを結合する結合用ボルト・ナット304と、各バンド部材の他端部を互いに接近する方向に締め付けてアングル材12に一体に固定する締め付け用ボルト・ナット305とを有する既設構造物の補強装置30において、結合用ボルト・ナット304および締め付け用ボルト・ナット305は、バンド部材の一端部および他端部に、それぞれ複数組配置する構成とはせずに、それぞれ１組のみ配置する。【選択図】図２３
2020070652.tif 000002
【特許請求の範囲】
【請求項１】
断面がＬ形を呈する両辺を有するアングル材を用いて構成されている既設構造物の補強装置であって、
前記補強装置は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル部材の辺の外側面に沿い摺接させながら前記外側角部側へ移動し、前記バンド補助部材の端縁を前記アングル材の内側角部に押圧することにより前記バンド補助部材を前記アングル材に一体に固定する締め付け用ボルト・ナットと、
を有する既設構造物の補強装置において、
前記結合用ボルト・ナットおよび前記締め付け用ボルト・ナットは、前記バンド部材の前記一端部および前記他端部に、それぞれ複数組配置する構成とはせずに、それぞれ１組のみ配置するようにしたことを特徴とする既設構造物の補強装置。
【請求項２】
請求項１記載の既設構造物の補強装置において、
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部であることを特徴とする既設構造物の補強装置。
【請求項３】
請求項１または２記載の既設構造物の補強装置において、
前記バンド部材の外面には補強用リブが設けられている
ことを特徴とする既設構造物の補強装置。
【請求項４】
請求項３記載の既設構造物の補強装置において、
前記補強用リブは、前記２つのバンド部材の上部または下部のいずれか一方に設けられており、
前記２つのバンド部材を組み合わせて前記アングル材に取り付けた時に前記２つのバンド部材の補強用リブが互いに上下異なる側に位置するようにした
ことを特徴とする既設構造物の補強装置。
【請求項５】
請求項１、２、３または４記載の既設構造物の補強装置において、
組み合わせる２つの前記バンド部材において、
いずれか一方の前記バンド部材の長手方向の端部が他方のバンド部材の長手方向の端部を覆うように屈曲している
ことを特徴とする既設構造物の補強装置。
【請求項６】
構造物を構成する断面がＬ形を呈する両辺を有するアングル材に付帯設備を取り付けるための付帯設備取付装置であって、
前記付帯設備を前記アングル材に固定する固定具を備え、
前記固定具は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、
前記バンド補助部材の延在端部に設けられ前記付帯設備が取り付けられる支持体と
を有する付帯設備取付装置において、
前記結合用ボルト・ナットおよび前記締め付け用ボルト・ナットは、前記バンド部材の前記一端部および前記他端部に、それぞれ複数組配置する構成とはせずに、それぞれ１組のみ配置するようにしたことを特徴とする付帯設備取付装置。
【請求項７】
請求項６記載の付帯設備取付装置において、
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部であることを特徴とする付帯設備取付装置。
【請求項８】
請求項６または７記載の付帯設備取付装置において、
前記バンド部材の外面には補強用リブが設けられている
ことを特徴とする付帯設備取付装置。
【請求項９】
請求項８記載の付帯設備取付装置において、
前記補強用リブは、前記２つのバンド部材の上部または下部のいずれか一方に設けられており、
前記２つのバンド部材を組み合わせて前記アングル材に取り付けた時に前記２つのバンド部材の補強用リブが互いに上下異なる側に位置するようにした
ことを特徴とする付帯設備取付装置。
【請求項１０】
請求項６、７、８または９記載の付帯設備取付装置において、
組み合わせる２つの前記バンド部材において、
いずれか一方の前記バンド部材の長手方向の端部が他方のバンド部材の長手方向の端部を覆うように屈曲している
ことを特徴とする付帯設備取付装置。
【請求項１１】
第１アングル材と第２アングル材とを、当該両アングル材の一方の辺同士が互いに近接して平行に配列されるように組み合わせてなるパラレル型山形鋼集成体を用いて構成される既設構造物の補強装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の先端部に第３結合用ボルト・ナットにより一端がそれぞれ固定された第５及び第６バンド部材と、
前記第１及び第２アングル材の一方の辺同士間に形成された隙間から外側へ突出する前記支持板材の先端部の両面に前記第１バンド部材の他端及び前記第３バンド部材の他端をそれぞれ対向配置するとともに当該両他端が互いに接近する方向に締め付けることで前記第１アングル材を前記第１アングル材の内側角部に圧接させかつ前記第２バンド補助部材を前記第２アングル材の内側角部に圧接させる第１締め付け用ボルト・ナットと、
前記第２バンド部材の他端と前記第５バンド部材の他端をそれぞれ対向配置するとともに当該両他端を互いに接近する方向に締め付けることで前記第１バンド補助部材を前記第１アングル材の内側角部に圧接させる第２締め付け用ボルト・ナットと、
前記第４バンド部材の他端と前記第６バンド部材の他端をそれぞれ対向配置するとともに当該両他端を互いに接近する方向に締め付けることで前記第２バンド補助部材を前記第２アングル材の内側角部に圧接させる第３締め付け用ボルト・ナットとを有する既設構造物の補強装置において、
前記第１〜３結合用ボルト・ナットおよび前記第１〜３締め付け用ボルト・ナットは、前記第１〜６バンド部材に、それぞれ複数組配置する構成とはせずに、それぞれ１組のみ配置するようにしたことを特徴とする既設構造物の補強装置。
【請求項１２】
請求項１１記載の既設構造物の補強装置において、
前記第１〜６バンド部材の外面には補強用リブが設けられている
ことを特徴とする既設構造物の補強装置。
【請求項１３】
第１アングル材と第２アングル材とを、当該両アングル材の角部同士を互いに合わせて十字型が形成されるように組み合わせてなるパラレル型山形鋼集成体を用いて構成される既設構造物の補強装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の一方の先端部に第３結合用ボルト・ナットにより一端がそれぞれ固定された第５及び第６バンド部材と、
前記第１及び第２アングル材の他方の辺同士間に形成された隙間から外側へ突出する前記支持板材の他方の先端部に第４結合用ボルト・ナットにより一端がそれぞれ固定された第７及び第８バンド部材と、
前記第１及び第２アングル材の一方の辺同士間に形成された隙間から外側へ突出する前記支持板材の一端と前記第１アングル材の内側角部に当接しかつ両辺が形成する開口部の角度が二分される中間に位置する前記第１バンド補助部材との間に配置された前記第１バンド部材と前記第６バンド部材の端部を圧接させる第１締め付け用ボルト・ナットと、
前記第１及び第２アングル材の一方の辺同士間に形成された隙間から外側へ突出する前記支持板材の他端と前記第１アングル材の内側角部に当接しかつ両辺が形成する開口部の角度が二分される中間に位置する前記第１バンド補助部材との間に配置された前記第２バンド部材と前記第７バンド部材の端部を圧接させる第２締め付け用ボルト・ナットと、
前記第１及び第２アングル材の一方の辺同士間に形成された隙間から外側へ突出する前記支持板材の一端と前記第２アングル材の内側角部に当接しかつ両辺が形成する開口部の角度が二分される中間に位置する前記第２バンド補助部材との間に配置された前記第４バンド部材と前記第５バンド部材の端部を圧接させる第３締め付け用ボルト・ナットと、
前記第１及び第２アングル材の一方の辺同士間に形成された隙間から外側へ突出する前記支持板材の他端と前記第２アングル材の内側角部に当接しかつ両辺が形成する開口部の角度が二分される中間に位置する前記第２バンド補助部材との間に配置された前記第３バンド部材と前記第８バンド部材の端部を圧接させる第４締め付け用ボルト・ナットとを有する既設構造物の補強装置において、
前記第１〜４結合用ボルト・ナットおよび前記第１〜４締め付け用ボルト・ナットは、前記第１〜８バンド部材に、それぞれ複数組配置する構成とはせずに、それぞれ１組のみ配置するようにしたことを特徴とするものである。
【請求項１４】
請求項１３記載の既設構造物の補強装置において、
前記第１〜８バンド部材の外面には補強用リブが設けられている
ことを特徴とする既設構造物の補強装置。
【請求項１５】
第１アングル材と第２アングル材とを、当該両アングル材の一方の辺同士が互いに近接して平行に配列されるように組み合わせてなるパラレル型山形鋼集成体を用いて構成される既設構造物に付帯設備を取り付けるための付帯設備取付装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の先端部に第３結合用ボルト・ナットにより一端がそれぞれ固定された第５及び第６バンド部材と、
前記第１及び第２アングル材の一方の辺同士間に形成された隙間から外側へ突出する前記支持板材の先端部の両面に前記第１バンド部材の他端及び前記第３バンド部材の他端をそれぞれ対向配置するとともに当該両他端が互いに接近する方向に締め付けることで前記第１アングル材を前記第１アングル材の内側角部に圧接させかつ前記第２バンド補助部材を前記第２アングル材の内側角部に圧接させる第１締め付け用ボルト・ナットと、
前記第２バンド部材の他端と前記第５バンド部材の他端をそれぞれ対向配置するとともに当該両他端を互いに接近する方向に締め付けることで前記第１バンド補助部材を前記第１アングル材の内側角部に圧接させる第２締め付け用ボルト・ナットと、
前記第４バンド部材の他端と前記第６バンド部材の他端をそれぞれ対向配置するとともに当該両他端を互いに接近する方向に締め付けることで前記第２バンド補助部材を前記第２アングル材の内側角部に圧接させる第３締め付け用ボルト・ナットと、
前記支持板材の延在端部に設けられ前記付帯設備が取り付けられる支持体とを有する付帯設備取付装置において、
前記第１〜３結合用ボルト・ナットおよび前記第１〜３締め付け用ボルト・ナットは、前記バンド部材の前記一端部および前記他端部に、それぞれ複数組配置する構成とはせずに、それぞれ１組のみ配置するようにしたことを特徴とする付帯設備取付装置。
【請求項１６】
請求項１５記載の付帯設備取付装置において、
前記第１〜６バンド部材の外面には補強用リブが設けられている
ことを特徴とする付帯設備取付装置。
【請求項１７】
第１アングル材と第２アングル材とを、当該両アングル材の角部同士を互いに合わせて十字型が形成されるように組み合わせてなるパラレル型山形鋼集成体を用いて構成される既設構造物に付帯設備を取り付けるための付帯設備取付装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の一方の先端部に第３結合用ボルト・ナットにより一端がそれぞれ固定された第５及び第６バンド部材と、
前記第１及び第２アングル材の他方の辺同士間に形成された隙間から外側へ突出する前記支持板材の他方の先端部に第４結合用ボルト・ナットにより一端がそれぞれ固定された第７及び第８バンド部材と、
前記第１及び第２アングル材の一方の辺同士間に形成された隙間から外側へ突出する前記支持板材の一端と前記第１アングル材の内側角部に当接しかつ前記両辺が形成する開口部の角度が二分される中間に位置する前記第１バンド補助部材との間に配置された前記第１バンド部材と前記第６バンド部材の端部を圧接させる第１締め付け用ボルト・ナットと、
前記第１及び第２アングル材の一方の辺同士間に形成された隙間から外側へ突出する前記支持板材の他端と前記第１アングル材の内側角部に当接しかつ前記両辺が形成する開口部の角度が二分される中間に位置する前記第１バンド補助部材との間に配置された前記第２バンド部材と前記第７バンド部材の端部を圧接させる第２締め付け用ボルト・ナットと、
前記第１及び第２アングル材の一方の辺同士間に形成された隙間から外側へ突出する前記支持板材の一端と前記第２アングル材の内側角部に当接しかつ前記両辺が形成する開口部の角度が二分される中間に位置する前記第２バンド補助部材との間に配置された前記第４バンド部材と前記第５バンド部材の端部を圧接させる第３締め付け用ボルト・ナットと、
前記第１及び第２アングル材の一方の辺同士間に形成された隙間から外側へ突出する前記支持板材の他端と前記第２アングル材の内側角部に当接しかつ前記両辺が形成する開口部の角度が二分される中間に位置する前記第２バンド補助部材との間に配置された前記第３バンド部材と前記第８バンド部材の端部を圧接させる第４締め付け用ボルト・ナットと、
前記支持板材の延在端部に設けられ前記付帯設備が取り付けられる支持体とを有する付帯設備取付装置において、
前記第１〜４結合用ボルト・ナットおよび前記第１〜４締め付け用ボルト・ナットは、前記バンド部材の前記一端部および前記他端部に、それぞれ複数組配置する構成とはせずに、それぞれ１組のみ配置するようにしたことを特徴とする付帯設備取付装置。
【請求項１８】
請求項１７記載の付帯設備取付装置において、
前記第１〜８バンド部材の外面には補強用リブが設けられている
ことを特徴とする付帯設備取付装置。
【発明の詳細な説明】
【技術分野】
【０００１】
本発明は、既設構造物を構成するアングル材に取り付けることによって補強することができる既設構造物の補強装置、および鉄塔などの既設構造物にはアンテナや避雷針などの付帯設備を取り付けることもできる付帯設備取付装置に関するものである。
【背景技術】
【０００２】
鉄塔や建屋などの構造物は、アングル材やその他の形鋼などから構成されており、地震や天候などの様々な要因からアングル材や形鋼に変形や座屈、経年劣化が生じる。例えば、このような既設構造物を補強する補強装置として、本出願人による特許文献１の特許第６３０１２１２号公報「既設鉄骨構造物の補強装置」がある。
【０００３】
一方、地上または建物の屋上等に設置されている既設の鉄塔を、携帯電話等の通信用アンテナや非常無線放送用アンテナの設置または避雷針の設置に利用するようになってきている。例えば、構造物を構成する既存の山形鋼材にアンテナなどの付帯設備を取り付ける公知の技術として、本出願人による特許文献２の特開２０１８−０８０４８２号公報「付帯設備取付装置」がある。
【０００４】
特許文献１には、第１山形鋼材と第２山形鋼材とを、両山形鋼材の一方の辺同士が互いに近接して平行に配列されるように組合わせてなるパラレル型山形鋼集成体を用いて構成される既設鉄骨構造物の補強装置が記載されている。
【０００５】
すなわち、特許文献１記載の装置は、第１山形鋼材の両辺の幅より大きい幅を有し、幅方向の一端縁が第１山形鋼材の内側角部に当接しかつ両辺が形成する開口部の角度が二分される中間に位置するようにして第１山形鋼材の長さ方向の全長に亘り延在して配置された第１補強板材と、第２山形鋼材の両辺の幅より大きい幅を有し、幅方向の一端縁が第２山形鋼材の内側角部に当接しかつ両辺が形成する開口部の角度が二分される中間に位置するようにして第２山形鋼材の長さ方向の全長に亘り延在して配置された第２補強板材と、第１及び第２山形鋼材の長さ方向の複数箇所で第１補強板材を第１山形鋼材に一体に固定しかつ第２補強板材を第２山形鋼材に一体に固定する複数の固定機構とを備え、固定機構は、第１及び第２山形鋼材の一方の辺同士間に形成された隙間を貫通して第１及び第２山形鋼材の長さ方向と直交する方向に延在するように配置された支持板材と、第１山形鋼材の外側へ突出する第１補強板材の先端部に第１の固定用ボルト・ナットにより一端がそれぞれ固定された第１及び第２の固定金具と、第２山形鋼材の外側へ突出する第２補強板材の先端部に第２の固定用ボルト・ナットにより一端がそれぞれ固定された第３及び第４の固定金具と、第１及び第２山形鋼材の他方の辺同士間に形成された隙間から外側へ突出する支持板材の先端部に第３の固定用ボルト・ナットにより一端がそれぞれ固定された第５及び第６の固定金具と、第１及び第２山形鋼材の一方の辺同士間に形成された隙間から外側へ突出する支持板材の先端部の両面に第１の固定金具の他端及び第３の固定金具の他端をそれぞれ対向配置するとともに両他端が互いに接近する方向に締め付けることで第１補強板材を第１山形鋼材の内側角部に圧接させかつ第２補強板材を第２山形鋼材の内側角部に圧接させる第１の締め付け用ボルト・ナットと、第２の固定金具の他端と第５の固定金具の他端をそれぞれ対向配置するとともに両他端を互いに接近する方向に締め付けることで第１補強板材を第１山形鋼材の内側角部に圧接させる第２の締め付け用ボルト・ナットと、第４の固定金具の他端と第６の固定金具の他端をそれぞれ対向配置するとともに両他端を互いに接近する方向に締め付けることで第２補強板材を第２山形鋼材の内側角部に圧接させる第３の締め付け用ボルト・ナットとを有することを特徴とする既設鉄骨構造物の補強装置である。
【０００６】
特許文献２には、建造物を構成する断面がＬ形を呈する両辺を有するアングル材に付帯設備を取り付けるための付帯設備取付装置であって、付帯設備をアングル材に固定する固定具を備え、固定具は、アングル材の両辺をそれぞれの外側面側から挟持するように配置される２つのバンド部材と、アングル材の内側にアングル材の両辺が形成する角度を二分するようにアングル材の内側角部から離間する方向に延在して配置されるバンド補助部材と、アングル材から突出するバンド補助部材の延在端部と、各バンド部材の一端部とを結合する結合用ボルト・ナットと、アングル材の両辺が形成する外側角部側で各バンド部材の他端部を互いに接近する方向に締め付けることにより各バンド部材をアングル部材の辺の外側面に沿い摺接させながら外側角部側へ移動し、バンド補助部材の端縁をアングル材の内側角部に押圧することよりバンド補助部材をアングル材に一体に固定する締め付け用ボルト・ナットと、バンド補助部材の延在端部に設けられ付帯設備が取り付けられる支持体とを有することを特徴とする付帯設備取付装置が記載されている。
【先行技術文献】
【特許文献】
【０００７】
【特許文献１】特許第６３０１２１２号公報
【特許文献２】特開２０１８−０８０４８２号公報
【発明の概要】
【発明が解決しようとする課題】
【０００８】
特許文献１記載の補強装置は、第１山形鋼材と第２山形鋼材を補強するために第１〜６固定金具を第１〜３の固定用ボルト・ナットと第１〜３の締付け用ボルト・ナットを用いて固定している。第１〜３の固定用ボルト・ナットと第１〜３の締付け用ボルト・ナットは一か所につき２本ずつ取り付けられており、補強装置を山形鋼材に取り付けた時の保持力や安定性は高いが、補強装置自体の重量が重くなってしまい、部品数も多い。
【０００９】
同様に、特許文献２記載の付帯設備取付装置は、アングル材に装置を取り付けた時の保持力や安定性を重視したため、図１７〜２０に示したように結合用ボルト・ナットと締め付け用ボルト・ナットを２本ずつ用いて固定しているが、ボルト２本の間の距離も必要であるため、バンド部材の幅が大きくなり、装置自体が重くなる。
【００１０】
本発明は、上述したような従来の不具合を解決するためになされたもので、既存の構造物を構成しているアングル材に容易に取り付けることができる既存構造物の補強装置、およびアンテナや避雷針などの付帯設備を取り付けることもできる付帯設備取付装置を提供することを目的とする。
【課題を解決するための手段】
【００１１】
本発明に係る既設構造物の補強装置は、断面がＬ形を呈する両辺を有するアングル材を用いて構成されており、補強装置は、アングル材の両辺をそれぞれの外側面側から挟持するように配置される２つのバンド部材と、アングル材の内側にアングル材の両辺が形成する角度を二分するようにアングル材の内側角部から離間する方向に延在して配置されるバンド補助部材と、アングル材から突出するバンド補助部材の延在端部と、各バンド部材の一端部とを結合する結合用ボルト・ナットと、アングル材の両辺が形成する外側角部側で各バンド部材の他端部を互いに接近する方向に締め付けることにより各バンド部材をアングル部材の辺の外側面に沿い摺接させながら外側角部側へ移動し、バンド補助部材の端縁をアングル材の内側角部に押圧することよりバンド補助部材をアングル材に一体に固定する締め付け用ボルト・ナットとを有する既設構造物の補強装置において、結合用ボルト・ナットおよび締め付け用ボルト・ナットは、バンド部材の一端部および他端部に、それぞれ複数組配置する構成とはせずに、それぞれ１組のみ配置するようにしたことを特徴とするものである。
【００１２】
特許文献１に記載されているように、通常、アングル材に補強装置を取り付ける場合に取り付け保持力や安定性を考慮すると、常識的には結合用ボルト・ナットおよび締め付け用ボルト・ナットを上下に２個以上、複数組設けて固定することが必要と考えられていた。
【００１３】
しかし、本願発明の構成においてはバンド補助部材を設けていることによって、バンド補助部材の端部が幅をもって、アングル材を内側から押し付けており、アングル材とバンド部材がより密着して固定できるため、結合用ボルト・ナットおよび締め付け用ボルト・ナットがそれぞれ１つでも十分に固定できることがわかった。そこで、本願発明ではあえて結合用ボルト・ナットおよび締め付け用ボルト・ナットは、バンド部材の一端部および他端部に、それぞれ複数組配置する構成とはせずに、それぞれ１組のみ配置するようにしたものである。
【００１４】
各バンド部材は、一方の辺の幅より大きい長さを有し、かつ一方の辺の外側面に摺接される挟持部と、バンド補助部材の延在端部に結合用ボルト・ナットにより結合される結合部と、挟持部と結合部とを連結する連結部と、連結部と反対に位置する挟持部の端部に設けられた締め付け部を有し、締め付け用ボルト・ナットにより互いに接近する方向に締め付けられる各バンド部材の他端部は、締め付け部となっている。
【００１５】
また、バンド部材の外面には補強用リブを設けるとよい。補強用リブは、連結部と結合部とにわたる部分と、挟持部と締め付け部とにわたる部分とからなっている。補強用リブを設けることによって、バンド部材の結合部と連結部の間、締め付け部と挟持部の間の強度を上げることができる。
【００１６】
補強用リブは、２つのバンド部材の上部または下部のいずれか一方に設けられており、２つのバンド部材を組み合わせてアングル材に取り付けた時に２つのバンド部材の補強用リブが互いに上下異なる側に位置するようにしてもよい。
【００１７】
補強用リブはバンド部材の上下両側に設けてもよいが、上部または下部のどちらか一方だけに設ければ十分に強度があることがわかった。補強用リブがバンド部材の片側だけになれば、補強装置自体を作る手間も省かれ、装置自体の重量も軽減される。ボルトとリブプレートの間隔を小さくすることで、変形を小さく抑制できる。補強用リブの配置を交互にすることで、アングル材への圧着性のバランスが保たれる。
【００１８】
組み合わせる２つのバンド部材において、いずれか一方のバンド部材の長手方向の端部が他方のバンド部材の長手方向の端部を覆うように屈曲させてもよい。装置自体の回転を抑制でき、アングル材の長手方向への移動を収束できる効果がある。
【００１９】
また、結合用ボルトと締め付け用ボルトとを予めバンド部材に溶接しておいてもよい。通常、現場でボルト穴にボルトを通し、ナットで締め付けるが、特に高所作業の場合、ボルトをスパナで固定しながら、ナットで締め付けるのは作業性が悪く、安全性の面でも、落下、墜落など危険性が高い。予めボルトをバンド部材に溶接しておくことによって、ナット側をスパナ一本で締めて固定することができ、取り付け作業を簡便に済ませることができる。
【００２０】
本発明に係る付帯設備取付装置は、構造物を構成する断面がＬ形を呈する両辺を有するアングル材に付帯設備を取り付けるためのものであり、付帯設備をアングル材に固定する固定具を備え、固定具は、アングル材の両辺をそれぞれの外側面側から挟持するように配置される２つのバンド部材と、アングル材の内側にアングル材の両辺が形成する角度を二分するようにアングル材の内側角部から離間する方向に延在して配置されるバンド補助部材と、アングル材から突出するバンド補助部材の延在端部と、各バンド部材の一端部とを結合する結合用ボルト・ナットと、アングル材の両辺が形成する外側角部側で各バンド部材の他端部を互いに接近する方向に締め付けることにより各バンド部材をアングル材の辺の外側面に沿い摺接させながら外側角部側へ移動し、バンド補助部材の端縁をアングル材の内側角部に押圧することによりバンド補助部材をアングル材に一体に固定する締め付け用ボルト・ナットと、バンド補助部材の延在端部に設けられ付帯設備が取り付けられる支持体とを有する付帯設備取付装置において、結合用ボルト・ナットおよび締め付け用ボルト・ナットは、バンド部材の一端部および他端部に、それぞれ複数組配置する構成とはせずに、それぞれ１組のみ配置するようにしたことを特徴とするものである。
【００２１】
付帯設備取付装置の各バンド部材も補強装置と同様に、バンド補助部材を設けていることによって、バンド補助部材の端部が幅をもって、アングル材を内側から押し付けており、アングル材とバンド部材がより密着して固定できるため、結合用ボルト・ナットおよび締め付け用ボルト・ナットがそれぞれ１つでも十分に固定できることがわかった。そこで、あえて結合用ボルト・ナットおよび締め付け用ボルト・ナットは、バンド部材の一端部および他端部に、それぞれ複数組配置する構成とはせずに、それぞれ１組のみ配置するようにしたものである。
【００２２】
付帯設備取付装置の各バンド部材も補強装置と同様に、一方の辺の幅より大きい長さを有しかつ一方の辺の外側面に摺接される挟持部と、バンド補助部材の延在端部に結合用ボルト・ナットにより結合される結合部と、挟持部と結合部とを連結する連結部と、連結部と反対に位置する挟持部の端部に設けられた締め付け部を有し、締め付け用ボルト・ナットにより互いに接近する方向に締め付けられる各バンド部材の他端部は、締め付け部となっている。
【００２３】
本発明の付帯設備取付装置において、バンド部材の外面に補強用リブを設けても良い。補強用リブは、連結部と結合部とにわたる部分と、挟持部と締め付け部とにわたる部分とから構成するとよく、補強装置の補強用リブと同様に、結合部と連結部、および締め付け部と挟持部の強度を上げている。
【００２４】
また、補強用リブは、２つのバンド部材の上部または下部のいずれか一方に設けられており、２つのバンド部材を組み合わせてアングル材に取り付けた時に２つのバンド部材の補強用リブが互いに上下異なる側に位置するとよい。補強用リブは上下両側に設けてもよいが、いずれか一方に設け、アングル材に取り付けた時に上下交互に補強用リブが設けられていれば、十分な強度である。
【００２５】
組み合わせる２つのバンド部材において、いずれか一方のバンド部材の長手方向の端部が他方のバンド部材の長手方向の端部を覆うように屈曲させておいてもよい。バンド部材の端部を曲げることによって、付帯設備取付装置自体の回転を抑制することができる。
【００２６】
付帯設備取付装置の結合用ボルトと締め付け用ボルトを予めバンド部材に溶接しておいてもよい。
【００２７】
第１アングル材と第２アングル材とを、両アングル材の一方の辺同士が互いに近接して平行に配列されるように組み合わせてなるパラレル型山形鋼集成体を用いて構成される既設構造物の補強装置であって、第１アングル材の両辺の幅より大きい幅を有し、幅方向の一端縁が第１アングル材の内側角部に当接しかつ両辺が形成する開口部の角度が二分される中間に位置するようにして第１アングル材の長さ方向の全長に亘り延在して配置された第１バンド補助部材と、第２アングル材の両辺の幅より大きい幅を有し、幅方向の一端縁が第２アングル材の内側角部に当接しかつ両辺が形成する開口部の角度が二分される中間に位置するようにして第２アングル材の長さ方向の全長に亘り延在して配置された第２バンド補助部材と、第１及び第２アングル材の長さ方向の複数箇所で第１バンド補助部材を第１アングル材に一体に固定しかつ第２バンド補助部材を第２アングル材に一体に固定する複数の固定具とを備え、固定具は、第１及び第２アングル材の一方の辺同士間に形成された隙間を貫通して第１及び第２アングル材の長さ方向と直交する方向に延在するように配置された支持板材と、第１アングル材の外側へ突出する第１バンド補助部材の先端部に第１結合用ボルト・ナットにより一端がそれぞれ固定された第１及び第２バンド部材と、第２アングル材の外側へ突出する第２バンド補助部材の先端部に第２結合用ボルト・ナットにより一端がそれぞれ固定された第３及び第４バンド部材と、第１及び第２アングル材の他方の辺同士間に形成された隙間から外側へ突出する支持板材の先端部に第３結合用ボルト・ナットにより一端がそれぞれ固定された第５及び第６バンド部材と、第１及び第２アングル材の一方の辺同士間に形成された隙間から外側へ突出する支持板材の先端部の両面に第１バンド部材の他端及び第３バンド部材の他端をそれぞれ対向配置するとともに両他端が互いに接近する方向に締め付けることで第１アングル材を第１アングル材の内側角部に圧接させかつ第２バンド補助部材を第２アングル材の内側角部に圧接させる第１締め付け用ボルト・ナットと、第２バンド部材の他端と第５バンド部材の他端をそれぞれ対向配置するとともに両他端を互いに接近する方向に締め付けることで第１バンド補助部材を第１アングル材の内側角部に圧接させる第２締め付け用ボルト・ナットと、第４バンド部材の他端と第６バンド部材の他端をそれぞれ対向配置するとともに両他端を互いに接近する方向に締め付けることで第２バンド補助部材を第２アングル材の内側角部に圧接させる第３締め付け用ボルト・ナットとを有する既設構造物の補強装置において、第１〜３結合用ボルト・ナットおよび第１〜３締め付け用ボルト・ナットは、第１〜６バンド部材に、それぞれ複数組配置する構成とはせずに、それぞれ１組のみ配置するようにしたことを特徴としている。
【００２８】
第１アングル材と第２アングル材とを、両アングル材の一方の辺同士が互いに近接して平行に配列されるように組み合わせてなるパラレル型山形鋼集成体を用いて構成される既設構造物の補強装置において、第１〜６バンド部材の外面には補強用リブが設けられているとよい。
【００２９】
断面がＬ形を呈する両辺を有するアングル材を用いて構成されている既設構造物の補強装置と同様に、補強用リブは６つのバンド部材の上部または下部のいずれか一方に設けられており、６つのバンド部材を組み合わせてパラレル型山形鋼集成体に取り付けた時に６つのバンド部材の補強用リブが互いに上下異なる側に位置するようにしてもよい。
【００３０】
また、組み合わせる６つのバンド部材において、隣り合ういずれか一方のバンド部材の長手方向の端部が他方のバンド部材の長手方向の端部を覆うように屈曲させてもよい。
【００３１】
第１〜３結合用ボルト・ナットおよび第１〜３締め付け用ボルト・ナットを予め第１〜６バンド部材に溶接しておくこともできる。
【００３２】
第１アングル材と第２アングル材とを、両アングル材の角部同士を互いに合わせて十字型が形成されるように組み合わせてなるパラレル型山形鋼集成体を用いて構成される既設構造物の補強装置であって、第１アングル材の両辺の幅より大きい幅を有し、幅方向の一端縁が第１アングル材の内側角部に当接しかつ両辺が形成する開口部の角度が二分される中間に位置するようにして第１アングル材の長さ方向の全長に亘り延在して配置された第１バンド補助部材と、第２アングル材の両辺の幅より大きい幅を有し、幅方向の一端縁が第２アングル材の内側角部に当接しかつ両辺が形成する開口部の角度が二分される中間に位置するようにして第２アングル材の長さ方向の全長に亘り延在して配置された第２バンド補助部材と、第１及び第２アングル材の長さ方向の複数箇所で第１バンド補助部材を第１アングル材に一体に固定しかつ第２バンド補助部材を第２アングル材に一体に固定する複数の固定具とを備え、固定具は、第１及び第２アングル材の一方の辺同士間に形成された隙間を貫通して第１及び第２アングル材の長さ方向と直交する方向に延在するように配置された支持板材と、第１アングル材の外側へ突出する第１バンド補助部材の先端部に第１結合用ボルト・ナットにより一端がそれぞれ固定された第１及び第２バンド部材と、第２アングル材の外側へ突出する第２バンド補助部材の先端部に第２結合用ボルト・ナットにより一端がそれぞれ固定された第３及び第４バンド部材と、第１及び第２アングル材の他方の辺同士間に形成された隙間から外側へ突出する支持板材の一方の先端部に第３結合用ボルト・ナットにより一端がそれぞれ固定された第５及び第６バンド部材と、第１及び第２アングル材の他方の辺同士間に形成された隙間から外側へ突出する支持板材の他方の先端部に第４結合用ボルト・ナットにより一端がそれぞれ固定された第７及び第８バンド部材と、第１及び第２アングル材の一方の辺同士間に形成された隙間から外側へ突出する支持板材の一端と第１アングル材の内側角部に当接しかつ両辺が形成する開口部の角度が二分される中間に位置する第１バンド補助部材との間に配置された第１バンド部材と第６バンド部材の端部を圧接させる第１締め付け用ボルト・ナットと、第１及び第２アングル材の一方の辺同士間に形成された隙間から外側へ突出する支持板材の他端と第１アングル材の内側角部に当接しかつ両辺が形成する開口部の角度が二分される中間に位置する第１バンド補助部材との間に配置された第２バンド部材と第７バンド部材の端部を圧接させる第２締め付け用ボルト・ナットと、第１及び第２アングル材の一方の辺同士間に形成された隙間から外側へ突出する支持板材の一端と第２アングル材の内側角部に当接しかつ両辺が形成する開口部の角度が二分される中間に位置する第２バンド補助部材との間に配置された第４バンド部材と第５バンド部材の端部を圧接させる第３締め付け用ボルト・ナットと、第１及び第２アングル材の一方の辺同士間に形成された隙間から外側へ突出する支持板材の他端と第２アングル材の内側角部に当接しかつ両辺が形成する開口部の角度が二分される中間に位置する第２バンド補助部材との間に配置された第３バンド部材と第８バンド部材の端部を圧接させる第４締め付け用ボルト・ナットとを有する既設構造物の補強装置において、第１〜４結合用ボルト・ナットおよび第１〜４締め付け用ボルト・ナットは、第１〜８バンド部材に、それぞれ複数組配置する構成とはせずに、それぞれ１組のみ配置するようにしたことを特徴とするものである。
【００３３】
第１アングル材と第２アングル材とを、両アングル材の角部同士を互いに合わせて十字型が形成されるように組み合わせてなるパラレル型山形鋼集成体を用いて構成される既設構造物の補強装置において、第１〜８バンド部材の外面には補強用リブを設けるとよい。
【００３４】
断面がＬ形を呈する両辺を有するアングル材を用いて構成されている既設構造物の補強装置や、第１アングル材と第２アングル材の一方の辺同士が互いに近接して平行に配列されるように組み合わせてなるパラレル型山形鋼集成体を用いて構成される既設構造物の補強装置と同様に、補強用リブは第１〜８バンド部材の上部または下部のいずれか一方に設けられており、８つのバンド部材を組み合わせてアングル材に取り付けた時に補強用リブが互いに上下異なる側に位置するようにしてもよい。
【００３５】
また、組み合わせる８つのバンド部材において、隣り合ういずれか一方のバンド部材の長手方向の端部が他方のバンド部材の長手方向の端部を覆うように屈曲させてもよい。
【００３６】
第１〜４結合用ボルト・ナットおよび第１〜４締め付け用ボルト・ナットを予め第１〜８バンド部材に溶接しておくこともできる。
【００３７】
第１アングル材と第２アングル材とを、両アングル材の一方の辺同士が互いに近接して平行に配列されるように組み合わせてなるパラレル型山形鋼集成体を用いて構成される既設構造物に付帯設備を取り付けるための付帯設備取付装置であって、第１アングル材の両辺の幅より大きい幅を有し、幅方向の一端縁が第１アングル材の内側角部に当接しかつ両辺が形成する開口部の角度が二分される中間に位置するようにして第１アングル材の長さ方向の全長に亘り延在して配置された第１バンド補助部材と、第２アングル材の両辺の幅より大きい幅を有し、幅方向の一端縁が第２アングル材の内側角部に当接しかつ両辺が形成する開口部の角度が二分される中間に位置するようにして第２アングル材の長さ方向の全長に亘り延在して配置された第２バンド補助部材と、第１及び第２アングル材の長さ方向の複数箇所で第１バンド補助部材を第１アングル材に一体に固定しかつ第２バンド補助部材を第２アングル材に一体に固定する複数の固定具とを備え、固定具は、第１及び第２アングル材の一方の辺同士間に形成された隙間を貫通して第１及び第２アングル材の長さ方向と直交する方向に延在するように配置された支持板材と、第１アングル材の外側へ突出する第１バンド補助部材の先端部に第１結合用ボルト・ナットにより一端がそれぞれ固定された第１及び第２バンド部材と、第２アングル材の外側へ突出する第２バンド補助部材の先端部に第２結合用ボルト・ナットにより一端がそれぞれ固定された第３及び第４バンド部材と、第１及び第２アングル材の他方の辺同士間に形成された隙間から外側へ突出する支持板材の先端部に第３結合用ボルト・ナットにより一端がそれぞれ固定された第５及び第６バンド部材と、第１及び第２アングル材の一方の辺同士間に形成された隙間から外側へ突出する支持板材の先端部の両面に第１バンド部材の他端及び第３バンド部材の他端をそれぞれ対向配置するとともに両他端が互いに接近する方向に締め付けることで第１アングル材を第１アングル材の内側角部に圧接させかつ第２バンド補助部材を第２アングル材の内側角部に圧接させる第１締め付け用ボルト・ナットと、第２バンド部材の他端と第５バンド部材の他端をそれぞれ対向配置するとともに両他端を互いに接近する方向に締め付けることで第１バンド補助部材を第１アングル材の内側角部に圧接させる第２締め付け用ボルト・ナットと、第４バンド部材の他端と第６バンド部材の他端をそれぞれ対向配置するとともに両他端を互いに接近する方向に締め付けることで第２バンド補助部材を第２アングル材の内側角部に圧接させる第３締め付け用ボルト・ナットと、支持板材の延在端部に設けられ付帯設備が取り付けられる支持体とを有する付帯設備取付装置において、第１〜３結合用ボルト・ナットおよび第１〜３締め付け用ボルト・ナットは、バンド部材の一端部および他端部に、それぞれ複数組配置する構成とはせずに、それぞれ１組のみ配置するようにしたことを特徴とするものである。
【００３８】
第１アングル材と第２アングル材とを、両アングル材の一方の辺同士が互いに近接して平行に配列されるように組み合わせてなるパラレル型山形鋼集成体を用いて構成される既設構造物に付帯設備を取り付けるための付帯設備取付装置において、第１〜６バンド部材の外面に補強用リブを設けるとよい。
【００３９】
構造物を構成する断面がＬ形を呈する両辺を有するアングル材に付帯設備を取り付けるための付帯設備取付装置と同様に、補強用リブは第１〜６バンド部材の上部または下部のいずれか一方に設けられており、６つのバンド部材を組み合わせてアングル材に取り付けた時に補強用リブが互いに上下異なる側に位置するようにしてもよい。
【００４０】
また、組み合わせる６つのバンド部材において、隣り合ういずれか一方のバンド部材の長手方向の端部が他方のバンド部材の長手方向の端部を覆うように屈曲させてもよい。
【００４１】
第１〜３結合用ボルト・ナットおよび第１〜３締め付け用ボルト・ナットを予め第１〜６バンド部材に溶接しておくこともできる。
【００４２】
第１アングル材と第２アングル材とを、両アングル材の角部同士を互いに合わせて十字型が形成されるように組み合わせてなるパラレル型山形鋼集成体を用いて構成される既設構造物に付帯設備を取り付けるための付帯設備取付装置であって、第１アングル材の両辺の幅より大きい幅を有し、幅方向の一端縁が第１アングル材の内側角部に当接しかつ両辺が形成する開口部の角度が二分される中間に位置するようにして第１アングル材の長さ方向の全長に亘り延在して配置された第１バンド補助部材と、第２アングル材の両辺の幅より大きい幅を有し、幅方向の一端縁が第２アングル材の内側角部に当接しかつ両辺が形成する開口部の角度が二分される中間に位置するようにして第２アングル材の長さ方向の全長に亘り延在して配置された第２バンド補助部材と、第１及び第２アングル材の長さ方向の複数箇所で第１バンド補助部材を第１アングル材に一体に固定しかつ第２バンド補助部材を第２アングル材に一体に固定する複数の固定具とを備え、固定具は、第１及び第２アングル材の一方の辺同士間に形成された隙間を貫通して第１及び第２アングル材の長さ方向と直交する方向に延在するように配置された支持板材と、第１アングル材の外側へ突出する第１バンド補助部材の先端部に第１結合用ボルト・ナットにより一端がそれぞれ固定された第１及び第２バンド部材と、第２アングル材の外側へ突出する第２バンド補助部材の先端部に第２結合用ボルト・ナットにより一端がそれぞれ固定された第３及び第４バンド部材と、第１及び第２アングル材の他方の辺同士間に形成された隙間から外側へ突出する支持板材の一方の先端部に第３結合用ボルト・ナットにより一端がそれぞれ固定された第５及び第６バンド部材と、第１及び第２アングル材の他方の辺同士間に形成された隙間から外側へ突出する支持板材の他方の先端部に第４結合用ボルト・ナットにより一端がそれぞれ固定された第７及び第８バンド部材と、第１及び第２アングル材の一方の辺同士間に形成された隙間から外側へ突出する支持板材の一端と第１アングル材の内側角部に当接しかつ両辺が形成する開口部の角度が二分される中間に位置する第１バンド補助部材との間に配置された第１バンド部材と第６バンド部材の端部を圧接させる第１締め付け用ボルト・ナットと、第１及び第２アングル材の一方の辺同士間に形成された隙間から外側へ突出する支持板材の他端と第１アングル材の内側角部に当接しかつ両辺が形成する開口部の角度が二分される中間に位置する第１バンド補助部材との間に配置された第２バンド部材と第７バンド部材の端部を圧接させる第２締め付け用ボルト・ナットと、第１及び第２アングル材の一方の辺同士間に形成された隙間から外側へ突出する支持板材の一端と第２アングル材の内側角部に当接しかつ両辺が形成する開口部の角度が二分される中間に位置する第２バンド補助部材との間に配置された第４バンド部材と第５バンド部材の端部を圧接させる第３締め付け用ボルト・ナットと、第１及び第２アングル材の一方の辺同士間に形成された隙間から外側へ突出する支持板材の他端と第２アングル材の内側角部に当接しかつ両辺が形成する開口部の角度が二分される中間に位置する第２バンド補助部材との間に配置された第３バンド部材と第８バンド部材の端部を圧接させる第４締め付け用ボルト・ナットと、支持板材の延在端部に設けられ付帯設備が取り付けられる支持体とを有する付帯設備取付装置において、第１〜４結合用ボルト・ナットおよび第１〜４締め付け用ボルト・ナットは、バンド部材の一端部および他端部に、それぞれ複数組配置する構成とはせずに、それぞれ１組のみ配置するようにしたことを特徴とするものである。
【００４３】
第１アングル材と第２アングル材とを、両アングル材の角部同士を互いに合わせて十字型が形成されるように組み合わせてなるパラレル型山形鋼集成体を用いて構成される既設構造物に付帯設備を取り付けるための付帯設備取付装置において、第１〜８バンド部材の外面に補強用リブを設けるとよい。
【００４４】
構造物を構成する断面がＬ形を呈する両辺を有するアングル材に付帯設備を取り付けるための付帯設備取付装置や、第１アングル材と第２アングル材とを、両アングル材の一方の辺同士が互いに近接して平行に配列されるように組み合わせてなるパラレル型山形鋼集成体を用いて構成される既設構造物に付帯設備を取り付けるための付帯設備取付装置と同様に、第１アングル材と第２アングル材とを、両アングル材の角部同士を互いに合わせて十字型が形成されるように組み合わせてなるパラレル型山形鋼集成体を用いて構成される既設構造物に付帯設備を取り付けるための付帯設備取付装置の補強用リブは、第１〜８バンド部材の上部または下部のいずれか一方に設けられており、８つのバンド部材を組み合わせてアングル材に取り付けた時に補強用リブが互いに上下異なる側に位置するようにするとよい。
【００４５】
また、組み合わせる８つのバンド部材において、隣り合ういずれか一方のバンド部材の長手方向の端部が他方のバンド部材の長手方向の端部を覆うように屈曲させてもよい。
【００４６】
第１〜４結合用ボルト・ナットおよび第１〜４締め付け用ボルト・ナットを予め第１〜８バンド部材に溶接しておくこともできる。
【発明の効果】
【００４７】
本発明に係る既設構造物の補強装置および付帯設備取付装置は以上のような構成からなり、次のような効果が得られる。
【００４８】
（１）構造物を構成する既存のアングル材自体に加工を施すことなく、かつ緩みなく構造物に容易かつ強固に取り付けることができる。併せてアングル材に対する付帯設備の取り付け保持力を半永久的に確保することができる。
【００４９】
（２）２つのバンド部材を１本の結合用ボルト・ナットと１本の締め付け用ボルト・ナットとで取り付けることにより、設計時の増加荷重を軽減させることができる。また、従来のものより製作しやすく、部品数も減るため取付作業性を大幅に向上させることができる。
【００５０】
（３）１本の結合用ボルト・ナットと１本の締め付け用ボルト・ナットとで取り付けても、バンド部材どうしの回転を引き起こす可能性がない。
【００５１】
（４）バンド部材の幅が小さくなることで、結合用ボルト・ナットおよび締め付け用ボルト・ナットと補強用リブの間隔が小さくなり、変形を少なく抑制できる。
【００５２】
（５）補強用リブの配置を交互にすることで、母材への圧着性が均等になり、バランスが保たれる。また、多少の変形を誘発させることにより、母材との密着性を向上させ、より母材への固定が安定する。
【００５３】
（６）結合用ナットや締め付け用ナットを締め付ける際に、補強用リブが片側のみのため、締め付け器具が入りやすく、固定しやすい。
【００５４】
（７）従来品よりもバンド部材の幅を狭め、補強用リブとボルト数も減らすことができるため、装置自体の軽量化を図れる。
【００５５】
（８）バンド部材の両端を屈曲させることにより、装置自体の回転を抑制させることができるとともに、アングル材に対して直角方向の移動を収束できる。バンド部材の両端を接触させることにより、見かけ上の閉断面となり、装置自体の安定性や固定度、強度の向上に繋がる。
【００５６】
（９）結合用ボルトおよび締め付け用ボルトをバンド部材に予め溶接しておくことで、取り付け時にスパナ１本でナット側を締めるだけで固定させることができ、取り付け作業を簡便化できる。
【００５７】
（１０）従来のものよりもサイズが半分程度になり、部品数が減るため、装置自体の製作工程を短くすることができ、経済的である。
【図面の簡単な説明】
【００５８】
【図１】本発明に係る既設構造物の補強装置において、第１の実施形態を示した平面図である。
【図２】図１の実施形態における正面図を示したものである。
【図３】図１の実施形態における側面図を示したものである。
【図４】図１の実施形態におけるバンド補助部材を示した正面図および側面図である。
【図５】本発明に係る既設構造物の補強装置において、第２の実施形態を示した平面図である。
【図６】図５の実施形態における正面図を示したものである。
【図７】図５の実施形態における側面図を示したものである。
【図８】図５の実施形態におけるバンド補助部材を示した正面図および側面図である。
【図９】本発明に係る既設構造物の補強装置において、第３の実施形態を示した平面図である。
【図１０】図９の実施形態における正面図を示したものである。
【図１１】図９の実施形態における側面図を示したものである。
【図１２】図９の実施形態におけるバンド補助部材を示した正面図および側面図である。
【図１３】本発明に係る既設構造物の補強装置において、第４の実施形態を示した平面図である。
【図１４】図１３の実施形態における正面図を示したものである。
【図１５】図１３の実施形態における側面図を示したものである。
【図１６】図１３の実施形態におけるバンド補助部材を示した正面図および側面図である。
【図１７】従来の既設構造物の付帯設備取付装置の一実施形態を示した平面図である。
【図１８】図１７の実施形態における正面図を示したものである。
【図１９】図１７の実施形態における側面図を示したものである。
【図２０】図１７の実施形態におけるバンド補助部材を示した正面図および側面図である。
【図２１】本発明に係る補強装置を既設の鉄骨構造物であるトラス構造物に適用した場合の一実施形態を示す一部の概略斜視図である（第５の実施形態）。
【図２２】図２１の実施形態とは別の実施形態を示した一部の概略斜視図である。
【図２３】図２１、２２の実施形態の一部を拡大した拡大斜視図である。
【図２４】本発明に係る補強装置をトラス構造物に適用した場合の断面図を示したものである（第６の実施形態）。
【図２５】図２４の実施形態における斜視図である。
【図２６】図２４の実施形態において、図２５とは別の方向から見た斜視図である。
【図２７】図２４の実施形態において、補強用リブをバンド部材の上下に設けた場合の斜視図である（第７の実施形態）。
【図２８】本発明に係る補強装置をトラス構造物に適用した場合の図２４とは別の実施形態を示した斜視図である（第８の実施形態）。
【図２９】図２８の実施形態において、別の方向から見た斜視図である。
【図３０】本発明に係る付帯設備取付装置を用いて既存のアンテナ用鉄塔に避雷針を取り付けた場合の一例を示す概略説明図である（第９の実施形態）。
【図３１】図３０に示すアンテナ用鉄塔を構成するアングル材に避雷針を取り付けた場合の付帯設備取付装置を示す正面図である。
【図３２】図３１の矢印Ａ−Ａ線に沿う付帯設備取付装置の平面図である。
【図３３】図３１の矢印Ｂ−Ｂ線に沿う付帯設備取付装置の平面図である。
【図３４】図３１に示す付帯設備取付装置の一部の分解斜視図である。
【図３５】本発明に係る付帯設備取付装置をトラス構造物に適用した場合の断面図を示したものである（第１０の実施形態）。
【図３６】図３５の実施形態における側面図である。
【発明を実施するための形態】
【００５９】
（第１の実施の形態）
以下、本発明に係る既設構造物の補強装置３０の第１の実施形態について、図１〜４を参照して説明する。
【００６０】
補強装置３０は、アングル材１２の両辺をそれぞれの外側面側から挟持するように左右対称に配置される第１バンド部材３０１及び第２バンド部材３０２と、バンド補助部材３０３と、一組の結合用ボルト・ナット３０４と、一組の締め付け用ボルト・ナット３０５とを含んで構成される。本実施形態では、第１バンド部材３０１及び第２バンド部材３０２が特許請求の範囲の２つのバンド部材に相当している。
【００６１】
第１バンド部材３０１は、鋼板材からなり、アングル材１２の一方の辺１２１の外側面と接するように一方の辺１２１の幅方向と直交する方向に延在して配置される。アングル材１２の一方の辺１２１の外側面に圧接し、かつ一方の辺１２１の幅より大きい長さを有する第１挟持部３０１１と、第１挟持部３０１１の一端部に、当該一端部からバンド補助部材３０３の一端部に向け斜めに延在して設けられた第１連結部３０１２と、第１連結部３０１２の先端に設けられ、バンド補助部材３０３の一端部に結合される第１結合部３０１３と、第１連結部３０１２と反対に位置する第１挟持部３０１１の端部に設けられ第１バンド部材３０１に締め付け力を生じさせる第１締め付け部３０１４を有している。
【００６２】
また、第１バンド部材３０１の剛性を高めるために第１連結部３０１２と第１結合部３０１３との接合箇所には補強用リブ３０１５が第１連結部３０１２と第１結合部３０１３間に差し渡し状態に設けられている。さらに、第１バンド部材３０１の剛性を高めるために第１挟持部３０１１と第１締め付け部３０１４との接合箇所には補強用リブ３０１６が第１挟持部３０１１と第１締め付け部３０１４間に差し渡し状態に設けられている。
【００６３】
第２バンド部材３０２も第１バンド部材３０１と同様に、鋼板材からなり、アングル材１２の他方の辺１２２の外側面と接するように他方の辺１２２の幅方向と直交する方向に延在して配置される。第２バンド部材３０２は、アングル材１２の他方の辺１２２の外側面に圧接し、かつ他方の辺１２２の幅より大きい長さを有する第２挟持部３０２１と、第２挟持部３０２１の一端部に、当該一端部からバンド補助部材３０３の一端部に向け斜めに延在して設けられた第２連結部３０２２と、第２連結部３０２２の先端に設けられバンド補助部材３０３の一端部に結合される第２結合部３０２３と、第２結合部３０２３と反対に位置する第２挟持部３０２１の端部に設けられ第２バンド部材３０２に締め付け力を生じさせる第２締め付け部３０２４を有している。
【００６４】
また、第２バンド部材３０２の剛性を高めるために第２連結部３０２２と第２結合部３０２３との連結部分には補強用リブ３０２５が第２連結部３０２２と第２結合部３０２３間に差し渡し状態に設けられている。さらに、第２バンド部材３０２の剛性を高めるために第２挟持部３０２１と第２締め付け部３０２４との連結部分には補強用リブ３０２６が第２挟持部３０２１と第２締め付け部３０２４間に差し渡し状態に設けられている。
【００６５】
バンド補助部材３０３は、第１及び第２バンド部材３０１、３０２によりアングル材１２に固定する際の補助的機能を発揮させるもので、短冊状の鋼板材から成形される。バンド補助部材３０３は、図１に示すように、アングル材１２の内側に両辺１２１と１２２が形成する角度を二分するようにして、アングル材１２の内側角部１２４から離間する方向に延在して配置される。
【００６６】
結合用ボルト・ナット３０４は、アングル材１２の両辺１２１と１２２の内側で、バンド補助部材３０３の一端部を第１バンド部材３０１の第１結合部３０１３と第２バンド部材３０２の第２結合部３０２３とで挟持した状態で、これら両結合部３０１３及び３０２３をバンド補助部材３０３の一端部に固定し一体化するものである。
【００６７】
締め付け用ボルト・ナット３０５は、アングル材の１２の両辺１２１と１２２の内側と反対側、すなわち両辺１２１と１２２が形成する外側角部１２３で、第１バンド部材３０１の第１締め付け部３０１４と第２バンド部材３０２の第２締め付け部３０２４を互いに接近する方向に締め付けることにより第１バンド部材３０１をアングル材の１２の一方の辺１２１の外側面に沿い摺接させながらアングル材１２の外側角部１２３側へ移動するためのものである。
【００６８】
これと同時に、締め付け用ボルト・ナット３０５は、第２バンド部材３０２をアングル材の１２の他方の辺１２２の外側面に沿い摺接させながらアングル材１２の外側角部１２３側へ移動してバンド補助部材３０３の他端部３０３ｂをアングル材１２の内側角部１２４に押圧するためのものである。
【００６９】
さらに、締め付け用ボルト・ナット３０５は、第１バンド部材３０１の第１挟持部３０１１及び第２バンド部材３０２の第２挟持部３０２１をアングル材１２の両辺１２１と１２２の外側面に圧接することで第１バンド部材３０１、第２バンド部材３０２、バンド補助部材３０３をアングル材１２に固定するものである。
【００７０】
また、結合用ボルト３０４と締め付け用ボルト３０５を予めバンド部材に溶接しておいてもよい。補強装置３０をアングル材１２に取り付ける時にスパナ１本でナット側を締めるだけで固定させることができ、取り付け作業を簡便化することができる。
【００７１】
従来、第１バンド部材３０１と第２バンド部材３０２の曲げ角度を４５度程度としていたが、本実施形態では６０度程度とした。鋼板を４５度に曲げて製作するのは大変困難な作業であるため、６０度程度とした方が曲げやすく加工しやすい。また、第１バンド部材３０１、第２バンド部材３０２とアングル材１２端部との接触が緩やかとなり、アングル材１２の内側への圧着性がより高くなる。結合用ボルト３０４との距離が小さくなり、バンド締め付け時にバンド部材３０１、３０２やバンド補助部材３０３のたわみ量を抑え、より確実に固定できる。
【００７２】
（第２の実施の形態）
以下、本発明に係る既設構造物の補強装置３０の第２の実施形態について、図５〜８を参照して説明する。
【００７３】
補強装置３０は、アングル材１２の両辺をそれぞれの外側面側から挟持するように左右対称に配置される第１バンド部材３０１及び第２バンド部材３０２と、バンド補助部材３０３と、一組の結合用ボルト・ナット３０４と、一組の締め付け用ボルト・ナット３０５とを含んで構成される。本実施形態では、第１バンド部材３０１及び第２バンド部材３０２が特許請求の範囲の２つのバンド部材に相当している。
【００７４】
第１バンド部材３０１は、鋼板材からなり、アングル材１２の一方の辺１２１の外側面と接するように一方の辺１２１の幅方向と直交する方向に延在して配置される。アングル材１２の一方の辺１２１の外側面に圧接し、かつ一方の辺１２１の幅より大きい長さを有する第１挟持部３０１１と、第１挟持部３０１１の一端部に、当該一端部からバンド補助部材３０３の一端部に向け斜めに延在して設けられた第１連結部３０１２と、第１連結部３０１２の先端に設けられ、バンド補助部材３０３の一端部に結合される第１結合部３０１３と、第１連結部３０１２と反対に位置する第１挟持部３０１１の端部に設けられ第１バンド部材３０１に締め付け力を生じさせる第１締め付け部３０１４を有している。
【００７５】
また、第１バンド部材３０１の剛性を高めるために第１連結部３０１２と第１結合部３０１３との接合箇所には補強用リブ３０１５が第１連結部３０１２と第１結合部３０１３間に差し渡し状態に設けられている。さらに、第１バンド部材３０１の剛性を高めるために第１挟持部３０１１と第１締め付け部３０１４との接合箇所には補強用リブ３０１６が第１挟持部３０１１と第１締め付け部３０１４間に差し渡し状態に設けられている。
【００７６】
第２バンド部材３０２も第１バンド部材３０１と同様に、鋼板材からなり、アングル材１２の他方の辺１２２の外側面と接するように他方の辺１２２の幅方向と直交する方向に延在して配置される。第２バンド部材３０２は、アングル材１２の他方の辺１２２の外側面に圧接し、かつ他方の辺１２２の幅より大きい長さを有する第２挟持部３０２１と、第２挟持部３０２１の一端部に、当該一端部からバンド補助部材３０３の一端部に向け斜めに延在して設けられた第２連結部３０２２と、第２連結部３０２２の先端に設けられバンド補助部材３０３の一端部に結合される第２結合部３０２３と、第２結合部３０２３と反対に位置する第２挟持部３０２１の端部に設けられ第２バンド部材３０２に締め付け力を生じさせる第２締め付け部３０２４を有している。
【００７７】
また、第２バンド部材３０２の剛性を高めるために第２連結部３０２２と第２結合部３０２３との連結部分には補強用リブ３０２５が第２連結部３０２２と第２結合部３０２３間に差し渡し状態に設けられている。さらに、第２バンド部材３０２の剛性を高めるために第２挟持部３０２１と第２締め付け部３０２４との連結部分には補強用リブ３０２６が第２挟持部３０２１と第２締め付け部３０２４間に差し渡し状態に設けられている。
【００７８】
第１バンド部材３０１に設けた補強用リブ３０１５、３０１６と第２バンド部材３０２に設けた補強用リブ３０２５、３０２６は、図６に示したように、第１バンド部材３０１と第２バンド部材３０２の上部または下部のいずれか一方に設けており、２つのバンド部材を組み合わせてアングル材１２に取り付けた時に、補強用リブが互いに異なる側に設けられている。補強用リブの配置を交互にすることで、アングル材１２への圧着性が均等になり、バランスが良い状態になる。また、補強用リブの配置を交互にして、補強用リブを設ける部分を減らすことで、多少の変形を誘発させて、アングル材１２との密着性を向上させることができ、アングル材１２への安定性が期待できる。
【００７９】
バンド補助部材３０３は、第１及び第２バンド部材３０１、３０２によりアングル材１２に固定する際の補助的機能を発揮させるもので、短冊状の鋼板材から成形される。バンド補助部材３０３は、図５に示すように、アングル材１２の内側に両辺１２１と１２２が形成する角度を二分するようにして、アングル材１２の内側角部１２４から離間する方向に延在して配置される。
【００８０】
結合用ボルト・ナット３０４は、アングル材１２の両辺１２１と１２２の内側で、バンド補助部材３０３の一端部を第１バンド部材３０１の第１結合部３０１３と第２バンド部材３０２の第２結合部３０２３とで挟持した状態で、これら両結合部３０１３及び３０２３をバンド補助部材３０３の一端部に固定し一体化するものである。
【００８１】
締め付け用ボルト・ナット３０５は、アングル材の１２の両辺１２１と１２２の内側と反対側、すなわち両辺１２１と１２２が形成する外側角部１２３で、第１バンド部材３０１の第１締め付け部３０１４と第２バンド部材３０２の第２締め付け部３０２４を互いに接近する方向に締め付けることにより第１バンド部材３０１をアングル材の１２の一方の辺１２１の外側面に沿い摺接させながらアングル材１２の外側角部１２３側へ移動するためのものである。
【００８２】
これと同時に、締め付け用ボルト・ナット３０５は、第２バンド部材３０２をアングル材の１２の他方の辺１２２の外側面に沿い摺接させながらアングル材１２の外側角部１２３側へ移動してバンド補助部材３０３の他端部３０３ｂをアングル材１２の内側角部１２４に押圧するためのものである。
【００８３】
さらに、締め付け用ボルト・ナット３０５は、第１バンド部材３０１の第１挟持部３０１１及び第２バンド部材３０２の第２挟持部３０２１をアングル材１２の両辺１２１と１２２の外側面に圧接することで第１バンド部材３０１、第２バンド部材３０２、バンド補助部材３０３をアングル材１２に固定するものである。
【００８４】
また、結合用ボルト３０４と締め付け用ボルト３０５を予めバンド部材に溶接しておいてもよい。補強装置３０をアングル材１２に取り付ける時にスパナ１本でナット側を締めるだけで固定させることができ、取り付け作業を簡便化することができる。
【００８５】
従来、第１バンド部材３０１と第２バンド部材３０２の曲げ角度を４５度程度としていたが、本実施形態では６０度程度とした。鋼板を４５度に曲げて製作するのは大変困難な作業であるため、６０度程度とした方が曲げやすく加工しやすい。また、第１バンド部材３０１、第２バンド部材３０２とアングル材１２端部との接触が緩やかとなり、アングル材１２内側への圧着性がより高くなる。結合用ボルト３０４との距離が小さくなり、バンド締め付け時にバンド部材３０１、３０２やバンド補助部材３０３のたわみ量を抑え、より確実に固定できる。
【００８６】
（第３の実施の形態）
以下、本発明に係る既設構造物の補強装置３０の第３の実施形態について、図９〜１２を参照して説明する。
【００８７】
補強装置３０は、アングル材１２の両辺をそれぞれの外側面側から挟持するように左右対称に配置される第１バンド部材３０１及び第２バンド部材３０２と、バンド補助部材３０３と、一組の結合用ボルト・ナット３０４と、一組の締め付け用ボルト・ナット３０５とを含んで構成される。本実施形態では、第１バンド部材３０１及び第２バンド部材３０２が特許請求の範囲の２つのバンド部材に相当している。
【００８８】
第１バンド部材３０１は、鋼板材からなり、アングル材１２の一方の辺１２１の外側面と接するように一方の辺１２１の幅方向と直交する方向に延在して配置される。アングル材１２の一方の辺１２１の外側面に圧接し、かつ一方の辺１２１の幅より大きい長さを有する第１挟持部３０１１と、第１挟持部３０１１の一端部に、当該一端部からバンド補助部材３０３の一端部に向け斜めに延在して設けられた第１連結部３０１２と、第１連結部３０１２の先端に設けられ、バンド補助部材３０３の一端部に結合される第１結合部３０１３と、第１連結部３０１２と反対に位置する第１挟持部３０１１の端部に設けられ第１バンド部材３０１に締め付け力を生じさせる第１締め付け部３０１４を有している。
【００８９】
また、第１バンド部材３０１の剛性を高めるために第１連結部３０１２と第１結合部３０１３との接合箇所には補強用リブ３０１５が第１連結部３０１２と第１結合部３０１３間に差し渡し状態に設けられている。さらに、第１バンド部材３０１の剛性を高めるために第１挟持部３０１１と第１締め付け部３０１４との接合箇所には補強用リブ３０１６が第１挟持部３０１１と第１締め付け部３０１４間に差し渡し状態に設けられている。
【００９０】
第２バンド部材３０２も第１バンド部材３０１と同様に、鋼板材からなり、アングル材１２の他方の辺１２２の外側面と接するように他方の辺１２２の幅方向と直交する方向に延在して配置される。第２バンド部材３０２は、アングル材１２の他方の辺１２２の外側面に圧接し、かつ他方の辺１２２の幅より大きい長さを有する第２挟持部３０２１と、第２挟持部３０２１の一端部に、当該一端部からバンド補助部材３０３の一端部に向け斜めに延在して設けられた第２連結部３０２２と、第２連結部３０２２の先端に設けられバンド補助部材３０３の一端部に結合される第２結合部３０２３と、第２結合部３０２３と反対に位置する第２挟持部３０２１の端部に設けられ第２バンド部材３０２に締め付け力を生じさせる第２締め付け部３０２４を有している。
【００９１】
また、第２バンド部材３０２の剛性を高めるために第２連結部３０２２と第２結合部３０２３との連結部分には補強用リブ３０２５が第２連結部３０２２と第２結合部３０２３間に差し渡し状態に設けられている。さらに、第２バンド部材３０２の剛性を高めるために第２挟持部３０２１と第２締め付け部３０２４との連結部分には補強用リブ３０２６が第２挟持部３０２１と第２締め付け部３０２４間に差し渡し状態に設けられている。
【００９２】
第１バンド部材３０１に設けた補強用リブ３０１５、３０１６と第２バンド部材３０２に設けた補強用リブ３０２５、３０２６は、図１０に示したように、第１バンド部材３０１と第２バンド部材３０２の上部片側だけに設けている。補強用リブを設ける部分を減らすことで、装置３０自体の軽量化に繋がる。
【００９３】
バンド補助部材３０３は、第１及び第２バンド部材３０１、３０２によりアングル材１２に固定する際の補助的機能を発揮させるもので、短冊状の鋼板材から成形される。バンド補助部材３０３は、図９に示すように、アングル材１２の内側に両辺１２１と１２２が形成する角度を二分するようにして、アングル材１２の内側角部１２４から離間する方向に延在して配置される。
【００９４】
結合用ボルト・ナット３０４は、アングル材１２の両辺１２１と１２２の内側で、バンド補助部材３０３の一端部を第１バンド部材３０１の第１結合部３０１３と第２バンド部材３０２の第２結合部３０２３とで挟持した状態で、これら両結合部３０１３及び３０２３をバンド補助部材３０３の一端部に固定し一体化するものである。
【００９５】
締め付け用ボルト・ナット３０５は、アングル材の１２の両辺１２１と１２２の内側と反対側、すなわち両辺１２１と１２２が形成する外側角部１２３で、第１バンド部材３０１の第１締め付け部３０１４と第２バンド部材３０２の第２締め付け部３０２４を互いに接近する方向に締め付けることにより第１バンド部材３０１をアングル材の１２の一方の辺１２１の外側面に沿い摺接させながらアングル材１２の外側角部１２３側へ移動するためのものである。
【００９６】
これと同時に、締め付け用ボルト・ナット３０５は、第２バンド部材３０２をアングル材の１２の他方の辺１２２の外側面に沿い摺接させながらアングル材１２の外側角部１２３側へ移動してバンド補助部材３０３の他端部３０３ｂをアングル材１２の内側角部１２４に押圧するためのものである。
【００９７】
さらに、締め付け用ボルト・ナット３０５は、第１バンド部材３０１の第１挟持部３０１１及び第２バンド部材３０２の第２挟持部３０２１をアングル材１２の両辺１２１と１２２の外側面に圧接することで第１バンド部材３０１、第２バンド部材３０２、バンド補助部材３０３をアングル材１２に固定するものである。
【００９８】
また、結合用ボルト３０４と締め付け用ボルト３０５を予めバンド部材に溶接しておいてもよい。補強装置３０をアングル材１２に取り付ける時にスパナ１本でナット側を締めるだけで固定させることができ、取り付け作業を簡便化することができる。
【００９９】
従来、第１バンド部材３０１と第２バンド部材３０２の曲げ角度を４５度程度としていたが、本発明では６０度程度とした。鋼板を４５度に曲げて製作するのは大変困難な作業であるため、６０度程度とした方が曲げやすく加工しやすい。また、第１バンド部材３０１、第２バンド部材３０２とアングル材１２端部との接触が緩やかとなり、アングル材１２内側への圧着性がより高くなる。結合用ボルト３０４との距離が小さくなり、バンド締め付け時にバンド部材３０１、３０２やバンド補助部材３０３のたわみ量を抑え、より確実に固定できる。
【０１００】
（第４の実施の形態）
以下、本発明に係る既設構造物の補強装置３０の第４の実施形態について、図１３〜１６を参照して説明する。
【０１０１】
補強装置３０は、アングル材１２の両辺をそれぞれの外側面側から挟持するように左右対称に配置される第１バンド部材３０１及び第２バンド部材３０２と、バンド補助部材３０３と、一組の結合用ボルト・ナット３０４と、一組の締め付け用ボルト・ナット３０５とを含んで構成される。本実施形態では、第１バンド部材３０１及び第２バンド部材３０２が特許請求の範囲の２つのバンド部材に相当している。
【０１０２】
第１バンド部材３０１は、鋼板材からなり、アングル材１２の一方の辺１２１の外側面と接するように一方の辺１２１の幅方向と直交する方向に延在して配置される。アングル材１２の一方の辺１２１の外側面に圧接し、かつ一方の辺１２１の幅より大きい長さを有する第１挟持部３０１１と、第１挟持部３０１１の一端部に、当該一端部からバンド補助部材３０３の一端部に向け斜めに延在して設けられた第１連結部３０１２と、第１連結部３０１２の先端に設けられ、バンド補助部材３０３の一端部に結合される第１結合部３０１３と、第１連結部３０１２と反対に位置する第１挟持部３０１１の端部に設けられ第１バンド部材３０１に締め付け力を生じさせる第１締め付け部３０１４を有している。
【０１０３】
また、第１バンド部材３０１の剛性を高めるために第１連結部３０１２と第１結合部３０１３との接合箇所には補強用リブ３０１５が第１連結部３０１２と第１結合部３０１３間に差し渡し状態に設けられている。さらに、第１バンド部材３０１の剛性を高めるために第１挟持部３０１１と第１締め付け部３０１４との接合箇所には補強用リブ３０１６が第１挟持部３０１１と第１締め付け部３０１４間に差し渡し状態に設けられている。
【０１０４】
第２バンド部材３０２も第１バンド部材３０１と同様に、鋼板材からなり、アングル材１２の他方の辺１２２の外側面と接するように他方の辺１２２の幅方向と直交する方向に延在して配置される。第２バンド部材３０２は、アングル材１２の他方の辺１２２の外側面に圧接し、かつ他方の辺１２２の幅より大きい長さを有する第２挟持部３０２１と、第２挟持部３０２１の一端部に、当該一端部からバンド補助部材３０３の一端部に向け斜めに延在して設けられた第２連結部３０２２と、第２連結部３０２２の先端に設けられバンド補助部材３０３の一端部に結合される第２結合部３０２３と、第２結合部３０２３と反対に位置する第２挟持部３０２１の端部に設けられ第２バンド部材３０２に締め付け力を生じさせる第２締め付け部３０２４を有している。
【０１０５】
第２バンド部材３０２の第２結合部３０２３の端部に第１バンド部材３０１の第１結合部３０１３の端部に向けて曲げて屈曲部３０２７とした。同様に、第２締め付け部３０２４の端部を第１バンド部材３０１の第２結合部３０２３の端部に向けて曲げて屈曲部３０２８とした。第２バンド部材３０２の端部を第１バンド部材の両端部を覆うように屈曲させることによって、装置３０自体の回転を抑制させることができる。また、アングル材１２に対して長さ方向の移動を収束できる。第１バンド部材３０１と第２バンド部材３０２の両端を接触させることにより、見かけ上の閉断面となり、装置３０自体の安定性や固定度、強度を向上させることができる。
【０１０６】
また、第２バンド部材３０２の剛性を高めるために第２連結部３０２２と第２結合部３０２３との連結部分には補強用リブ３０２５が第２連結部３０２２と第２結合部３０２３間に差し渡し状態に設けられている。さらに、第２バンド部材３０２の剛性を高めるために第２挟持部３０２１と第２締め付け部３０２４との連結部分には補強用リブ３０２６が第２挟持部３０２１と第２締め付け部３０２４間に差し渡し状態に設けられている。
【０１０７】
バンド補助部材３０３は、第１及び第２バンド部材３０１、３０２によりアングル材１２に固定する際の補助的機能を発揮させるもので、短冊状の鋼板材から成形される。バンド補助部材３０３は、図１３に示すように、アングル材１２の内側に両辺１２１と１２２が形成する角度を二分するようにして、アングル材１２の内側角部１２４から離間する方向に延在して配置される。
【０１０８】
結合用ボルト・ナット３０４は、アングル材１２の両辺１２１と１２２の内側で、バンド補助部材３０３の一端部を第１バンド部材３０１の第１結合部３０１３と第２バンド部材３０２の第２結合部３０２３とで挟持した状態で、これら両結合部３０１３及び３０２３をバンド補助部材３０３の一端部に固定し一体化するものである。
【０１０９】
締め付け用ボルト・ナット３０５は、アングル材の１２の両辺１２１と１２２の内側と反対側、すなわち両辺１２１と１２２が形成する外側角部１２３で、第１バンド部材３０１の第１締め付け部３０１４と第２バンド部材３０２の第２締め付け部３０２４を互いに接近する方向に締め付けることにより第１バンド部材３０１をアングル材の１２の一方の辺１２１の外側面に沿い摺接させながらアングル材１２の外側角部１２３側へ移動するためのものである。
【０１１０】
これと同時に、締め付け用ボルト・ナット３０５は、第２バンド部材３０２をアングル材の１２の他方の辺１２２の外側面に沿い摺接させながらアングル材１２の外側角部１２３側へ移動してバンド補助部材３０３の他端部３０３ｂをアングル材１２の内側角部１２４に押圧するためのものである。
【０１１１】
さらに、締め付け用ボルト・ナット３０５は、第１バンド部材３０１の第１挟持部３０１１及び第２バンド部材３０２の第２挟持部３０２１をアングル材１２の両辺１２１と１２２の外側面に圧接することで第１バンド部材３０１、第２バンド部材３０２、バンド補助部材３０３をアングル材１２に固定するものである。
【０１１２】
また、結合用ボルト３０４と締め付け用ボルト３０５を予めバンド部材に溶接しておいてもよい。補強装置３０をアングル材１２に取り付ける時にスパナ１本でナット側を締めるだけで固定させることができ、取り付け作業を簡便化することができる。
【０１１３】
従来、第１バンド部材３０１と第２バンド部材３０２の曲げ角度を４５度程度としていたが、本実施形態では６０度程度とした。鋼板を４５度に曲げて製作するのは大変困難な作業であるため、６０度程度とした方が曲げやすく加工しやすい。また、第１バンド部材３０１、第２バンド部材３０２とアングル材１２端部との接触が緩やかとなり、アングル材１２内側への圧着性がより高くなる。結合用ボルト３０４との距離が小さくなり、バンド締め付け時にバンド部材３０１、３０２やバンド補助部材３０３のたわみ量を抑え、より確実に固定できる。
【０１１４】
（第５の実施の形態）
以下、本発明に係る補強装置３０を用いてアングル材１２の補強をする第５の実施形態について、図２１〜２３を参照して説明する。
【０１１５】
例えば、工場建屋のノコギリ屋根を構成する鉄骨構造物（トラス構造物）は、図２１、２２に示すように、水平材と、この水平材に対して所定の角度斜め上方に向け傾斜して対向配置された傾斜材と、水平材と傾斜材との間を結合する垂直材と、垂直材で区切られた水平材と傾斜材との間に対角線状に配置して両者を結合する筋かい材とから構成されており、断面形状がＬ字状を呈する等辺山形鋼からなるアングル材１２である。また、各垂直材の両端及び各筋かい材の両端は、水平材及び傾斜材に設けられたガセットプレートを介して水平材と傾斜材に結合されている。ノコギリ屋根用の鉄骨構造物を構成する鋼材は、Ｌ字状を呈する等辺山形鋼の他に平鋼、ＣＴ鋼、チャネル鋼等の型鋼を併用することも可能である。
【０１１６】
図２３に示したアングル材１２を補強する補強装置３０は、図５〜８に示した構成となっており、アングル材１２を挟みこむように組み合わせる第１バンド部材３０１と第２バンド部材３０２、アングル材１２の内側角部１２４を二分するように配置されたバンド補助部材３０３、第１結合部３０１３と第２結合部３０２３とを結合させる結合用ボルト・ナット３０４、第１締め付け部３０１４と第２締め付け部３０２４とを締め付ける締め付け用ボルト・ナット３０５とから構成されている。
【０１１７】
補強用リブは、第１バンド部材３０１の下部と、第２バンド部材３０２の上部に設けられている。第１バンド部材３０１に設けた補強用リブ３０１５、３０１６と第２バンド部材３０２に設けた補強用リブ３０２５、３０２６の配置を上下の異なる側の交互にしており、アングル材１２への圧着性のバランスが良い。
【０１１８】
ここでは、図５〜図８に示した補強装置３０をアングル材１２に取り付けた実施形態を示したが、図１〜図４、図９〜１２、図１３〜１６に示した構成の補強装置３０を取り付けることもできる。
【０１１９】
本実施の形態に示す既設鉄骨構造物の補強装置３０のバンド補助部材３０３に市販の平鋼を使用することができるとともに、既存のアングル材１２を容易かつ確実に補強することができるほか、補強施行時の固定用部品の取り扱いや管理が容易で、かつ簡素化でき、併せて、補強に要する作業時間を短縮できるとともに補強工事の低コスト化が可能になる。
【０１２０】
（第６の実施の形態）
以下、本発明に係る補強装置３０を２つのアングル材４０１、４０２が組み合わせてなるパラレル型山形鋼集成体４００に取り付ける第６の実施形態について、図２４〜２７を参照して説明する。図２５、２６は、各バンド部材の下部に補強用リブを設けた実施形態であり、図２７は、各バンド部材の上部下部ともに補強用リブを設けた実施形態を示している。
【０１２１】
パラレル型山形鋼集成体４００は、図２４〜２７に示すように、長さ方向と直交する横断面形状がＬ字状を呈する等辺山形鋼からなる第１アングル材４０１と、同様に長さ方向と直交する横断面形状がＬ字状を呈する等辺山形鋼からなる第２アングル材４０２を、その一方の辺４０１ａと４０２ａ同士が互いに近接して平行に配列されるように組み合わされることで構成される。
【０１２２】
パラレル型山形鋼集成体４００を補強する補強装置３０は、第１アングル材４０１に用いられる第１バンド補助部材５０１と、第２アングル材４０２に用いられる第１バンド補助部材５０２と、第１乃至第３の締め付け用ボルト・ナット６１１〜６１３で締め付けることにより第１〜第６バンド部材６０２〜６０７に対しパラレル型山形鋼集成体４００の軸心に向け移動する締め付け力を作用させて第１バンド補助部材５０１と第１アングル材２１、及び第２バンド補助部材５０２と第２アングル材４０２とをそれぞれ一体化する。
【０１２３】
第１バンド補助部材５０１は、図２４〜２７に示すように、第１アングル材４０１の辺４０１ａ及び辺４０１ｂの幅より大きい幅で、かつ第１アングル材４０１と略同一の長さを有する平鋼からなり、この平鋼からなる第１バンド補助部材５０１の幅方向の一端縁が第１アングル材４０１の内側角部に当接しかつ両方の辺４０１ａと辺４０１ｂが形成する開口部の角度が二分される中間に位置するようにして第１アングル材４０１の長さ方向の全長に亘り延在して配置されている。
【０１２４】
第２バンド補助部材５０２は、第２アングル材４０２の辺４０２ａ及び辺４０２ｂの幅より大きい幅で、かつ第２アングル材４０２と略同一の長さを有する平鋼からなり、この平鋼からなる第２バンド補助部材５０２の幅方向の一端縁が第２アングル材４０２の内側角部に当接しかつ両方の辺４０２ａと辺４０２ｂが形成する開口部の角度が二分される中間に位置するようにして第２アングル材４０２の長さ方向の全長に亘り延在して配置されている。
【０１２５】
固定具６００は、第１または第２アングル材４０１、４０２の各辺の幅の略２倍に相当する長さを有する鋼材からなる短冊状の支持板材６０１、第１及び第２バンド部材６０２、６０３、第３及び第４バンド部材６０４、６０５、第５及び第６バンド部材６０６、６０７、第１の結合用ボルト・ナット６０８、第２の結合用ボルト・ナット６０９、第３の結合用ボルト・ナット６１０、及び第１の締め付け用ボルト・ナット６１１と、第２の締め付け用ボルト・ナット６１２、第３の締め付け用ボルト・ナット６１３とを備える。
【０１２６】
なお、第１バンド部材６０２と第３バンド６０４、第２バンド部材６０３と第４バンド部材６０５、第５バンド部材６０６と第６バンド部材６０７は同一形状に加工されている。
【０１２７】
支持板材６０１は、第１アングル材４０１の一方の辺４０１ａと第２アングル材４０２の一方の辺４０２ａとの間に形成された隙間を貫通して第１及び第２アングル材４０１、４０２の長さ方向と直交する方向に延在するように配置される。
【０１２８】
第１バンド部材６０２は、第１アングル材４０１の一方の辺４０１ａと第２アングル材４０２の一方の辺４０２ａ間の隙間から外側へ突出する支持板材６０１の先端部と第１アングル材４０１の開口部の外側へ突出する第１バンド補助部材５０１の幅方向の一方の先端部との間に差し渡し状態に配置されるもので、この第１バンド部材６０２は、それ自体の剛性を増大するための補強用リブ６０２１を有している。
【０１２９】
また、第２バンド部材６０３は、第１アングル材４０１の開口部から外側へ突出する第１バンド補助部材５０１の幅方向の一方の先端部と、後述する第５バンド部材６０６の他端部との間に差し渡し状態に配置されるものであり、この第２バンド部材６０３は、それ自体の剛性を増大するための補強用リブ６０３１を有している。
【０１３０】
上述のように配置された第１バンド部材６０２の一端と第２バンド部材６０３の一端は、それぞれ第１アングル材４０１から外側へ突出する第１バンド補助部材５０１の幅方向の一方の先端部に該先端部を両面から挟持するように対向配置され、これらを貫通する一組の第１結合用ボルト・ナット６０８により第１バンド補助部材５０１の先端部に一体に固定されている。また、この第１結合用ボルト・ナット６０８は、締め付け用ナット６０８ａのほかに該締め付け用のナットの緩みを防止するロックナット６０８ｂを備えている。
【０１３１】
第３バンド部材６０４は、第１アングル材４０１の一方の辺４０１ａと第２アングル材４０２の一方の辺４０２ａ間の隙間から外方へ突出する支持板材６０１の先端部と第２アングル材４０２の開口部から外側に突出する第２バンド補助部材５０２の幅方向の一方の先端部との間に差し渡し状態に配置されるものであり、この第３バンド部材６０４は、それ自体の剛性を増大するための補強用リブ６０４１を有している。
【０１３２】
また、第４バンド部材６０４は、第２アングル材４０２の開口部の外側に突出する第２バンド補助部材５０２の幅方向の一方の先端部と、後述する第６バンド部材６０７の他端部との間に差し渡し状態に配置されるものであり、この第４バンド部材６０５は、それ自体の剛性を増大するための補強用リブ６０５１を有している。
【０１３３】
上述のように配置された第３バンド部材６０４の一端と第４バンド部材６０５の一端は、それぞれ第２アングル材４０２から外側へ突出する第２バンド補助部材５０２の幅方向の一方の先端部を両面から挟持するように対向配置され、これらを貫通する一組の第２結合用ボルト・ナット６０９により第２バンド補助部材５０２の幅方向の一方の先端部に一体に固定されている。また、この第２結合用ボルト・ナット６０９は、締め付け用ナット６０９ａのほかに該締め付け用ナットの緩みを防止するロックナット６０９ｂを備えている。
【０１３４】
第５バンド部材６０６は、第１アングル材４０１の一方の辺４０１ａと第２アングル材４０２の一方の辺４０２ａ間の隙間から第１及び第２アングル材４０１、４０２の他方の辺４０１ｂ、４０２ｂの外側へ突出する支持板材６０１の先端部と第２バンド部材６０３の他端部との間に差し渡し状態に配置され、かつ、この第５バンド部材６０６は第１アングル材４０１の他方の辺４０１ｂの外表面に当接するように構成されている。さらに、第５バンド部材６０６は、それ自体の剛性を増大するための補強用リブ６０６１を有している。
【０１３５】
第６バンド部材６０７は、第１アングル材４０１の一方の辺４０１ａと第２アングル材４０２の一方の辺４０２ａ間の隙間から第１及び第２アングル材４０１、４０２の他方の辺４０１ｂ、４０２ｂの外側へ突出する支持板材６０１の先端部と第４バンド部材６０５の他端部との間に差し渡し状態に配置され、かつ、この第２アングル材４０２の他方の辺４０２ｂの外表面に当接するように構成されている。さらに、この第６バンド部材６０７は、それ自体の剛性を増大するための補強用リブ６０７１を有している。
【０１３６】
上述のように配置された第５バンド部材６０６の一端と第２バンド部材６０３の一端は、それぞれ第１アングル材４０１の一方の辺４０１ａと第２アングル材４０２の一方の辺４０２ａ間の隙間から第１及び第２アングル材４０１、４０２の他方の辺４０１ｂ、４０２ｂの外側へ突出する支持板材６０１の先端部に該先端部を両面から挟持するように対向配置され、これらを貫通する一組の第３結合用ボルト・ナット６１０により支持板材６０１の先端部に一体に固定されている。また、この第３結合用ボルト・ナット６１０は、締め付け用ナット６１０ａのほかに該締め付け用ナットの緩みを防止するロックナット６１０ｂを備えている。
【０１３７】
第１乃至第３の締め付け用ボルト・ナット６１１、６１２、６１３は、第１乃至第６バンド部材６０２〜６０７を介して第１バンド補助部材５０１に第１アングル材４０１の内側角部への押圧力を付与し、かつ第２バンド補助部材５０２に第２アングル材４０２の内側角部への押圧力を付与して第１バンド補助部材５０１と第１アングル材４０１及び第２バンド補助部材５０２と第２アングル材４０２とを一体化して第１アングル材４０１と第２アングル材４０２とを組み合わせてなるパラレル型山形鋼集成体４００を補強し、その曲げ及び座屈強度を高めるためのものである。
【０１３８】
これを実現するために本実施の形態においては、第１アングル材４０１の一方の辺４０１ａと第２アングル材４０２の一方の辺４０２ａ間の隙間から外側へ突出する支持板材６０１の先端部の両面に第１バンド部材６０２の他端及び第３バンド部材６０４の他端が隙間を介して相対向配置されており、これら相対向する第１バンド部材６０２の他端及び第３バンド部材６０４の他端と支持板材６０１の先端部に軸線を一致して形成されたボルト穴に第１締め付け用ボルト・ナット６１１を挿通する。
【０１３９】
この第１締め付け用ボルト・ナット６１１により、第１及び第３バンド部材６０２と６０４の両方の他端を互いに接近する方向に締め付けることで、第１バンド補助部材５０１の幅方向の一端縁が第１アングル材４０１の内側角部に圧接されように、かつ第２バンド補助部材５０２の幅方向の一端縁が第２アングル材４０２の内側角部に圧接されるように構成されている。第１締め付け用ボルト・ナット６１１は、締め付け用ナット６１１ａのほかに該締め付け用ナットの緩みを防止するロックナット６１１ｂを備えている。
【０１４０】
また、第２バンド部材６０３の他端と第５バンド部材６０６の他端が隙間を介して相対向配置されており、これら相対向する第２バンド部材６０３の他端及び第５バンド部材６０６の他端に軸線を一致して形成されたボルト穴に第２締め付け用ボルト・ナット６１２を挿通させる。この第２締め付け用ボルト・ナット６１２により、第２及び第５バンド部材６０３と６０６の両方の他端を互いに接近する方向に締め付けることで、第１バンド補助部材５０１の幅方向の一端縁が第１アングル材４０１の内側角部に圧接されるように構成されている。第２締め付け用ボルト・ナット６１２は、締め付け用ナット６１２ａのほかに該締め付け用ナットの緩みを防止するロックナット６１２ｂを備えている。
【０１４１】
また、第４バンド部材６０５の他端と第６バンド部材６０７の他端は隙間を介して相対向配置されており、これら相対向する第４バンド部材６０５の他端と第６バンド部材６０７の他端に軸線を一致して形成されたボルト穴に第３締め付け用ボルト・ナット６１３を挿通させる。この第３締め付け用ボルト・ナット６１３により、第４及び第６バンド部材６０５と６０７の両方の他端を互いに接近する方向に締め付けることで、第２バンド補助部材５０２の幅方向の一端縁が第２アングル材４０２の内側角部に圧接されるように構成されている。第３締め付け用ボルト・ナット６１３は、締め付け用ナット６１３ａのほかに該締め付け用ナットの緩みを防止するロックナット６１３ｂを備えている。
【０１４２】
次に、上記のように構成された補強装置３０を用いて、鉄骨構造物（トラス構造物）を構成する既存のパラレル型山形鋼集成体４００を補強する場合の施工手順の一例について説明する。
【０１４３】
まず、工場等において、第１バンド補助部材５０１の幅方向の一端に、第１バンド補助部材５０１に形成されたボルト挿通穴の箇所に、固定具６００を構成する第１及び第２のバンド部材６０２、６０３の一端を第１結合用ボルト・ナット６０８により、仮組付けしておく。
【０１４４】
同様にして、第２バンド補助部材５０２の幅方向の一端に、第２バンド補助部材５０２の長さ方向に形成されたボルト挿通穴の箇所に、固定具６００を構成する第３及び第４バンド部材６０４、６０５の一端を第２結合用ボルト・ナット６０９により、仮組付けしておく。
【０１４５】
さらに、固定具６００を構成する支持板材６０１の一方の端部に、固定具６００を構成する第５及び第６バンド部材６０６、６０７の一端を第３結合用ボルト・ナット６１０により、仮組付けしておく。
【０１４６】
次に、上述のように仮組付けされた第１及び第２バンド補助部材５０１、５０２及び支持板材６０１を、補強を要する鉄骨構造物の設置現場に運び込む。次いで、第１バンド補助部材５０１の幅方向の一端縁が第１アングル材４０１の内側角部に当接されるようにして第１バンド補助部材５０１を第１アングル材４０１に組み込んで、図２４に示す状態に仮止めする。
【０１４７】
さらに、第２バンド補助部材５０２の幅方向の一端縁が第２アングル材４０２の内側角部に当接されるようにして第２バンド補助部材５０２を第２アングル材４０２に組み込んで、図２４に示す状態に仮止めする。
【０１４８】
また、第５及び第６バンド部材６０６、６０７が仮組付けされていない支持板材６０１の他方の端部を、第１及び第２アングル材４０１、４０２の他方の辺４０１ｂ、４０２ｂ側から、第５及び第６バンド部材６０６、６０７が第１及び第２アングル材４０１、４０２の他方の辺４０１ｂ、４０２ｂに当接されるまで、第１及び第２アングル材４０１、４０２の一方の辺４０１ａ、４０２ａで形成された隙間に差し込み、その差し込み端部を第１及び第２バンド部材６０２、６０３の一端間に突出させる。
【０１４９】
次に、第１及び第３バンド部材６０２、６０４の各他端及び支持板材６０１の先端部に軸線を一致して形成されたボルト穴に第１締め付け用ボルト・ナット６１１を挿通し、この第１締め付け用ボルト・ナット６１１を締め付け方向に操作して仮止めする。
【０１５０】
さらに、相対向して配置された第２及び第５バンド部材６０３、６０６の各他端に軸線を一致して形成されたボルト穴に第２締め付け用ボルト・ナット６１２を挿通し、この第２締め付け用ボルト・ナット６１２を締め付け方向に操作して仮止めする。
【０１５１】
同様にして、相対向して配置された第４及び第６バンド部材６０５、６０７の各他端に軸線を一致して形成されたボルト穴に第３締め付け用ボルト・ナット６１３を挿通し、この第３締め付け用ボルト・ナット６１３を締め付け方向に操作して仮止めする。
【０１５２】
第１アングル材４０１に対する第１バンド補助部材５０１の配置位置及び姿勢が第１アングル材４０１の開口部の角度を二分する中間位置に保持されているかを確認し、さらに第２アングル材４０２に対する第２バンド補助部材５０２の配置位置及び姿勢が第２アングル材４０１の開口部の角度を二分する中間位置に保持されているかを確認する。確認後、第１〜第３締め付け用ボルト・ナット６１１〜６１３をそれぞれ本締め操作する。かかる状態が確認されたならば、第１〜第３結合用ボルト・ナット６０８〜６１０を本締めする。
【０１５３】
すなわち、第１結合用ボルト・ナット６０８を本締めすることにより、第１及び第２バンド部材６０２と６０３の一端を第１バンド補助部材５０１の幅方向の一方の先端部に一体に固定する。さらに、第２結合用ボルト・ナット６０９を本締めすることにより、第３及び第４バンド部材６０４と６０５の一端を第２バンド補助部材５０２の幅方向の一方の先端部に一体に固定する。また、第３結合用ボルト・ナット６１０を本締めすることにより、第５及び第６バンド部材６０６と６０７の一端を支持板材６０１一方の先端部に一体に固定する。その後、第１〜第３締め付け用ボルト・ナット６１１〜６１３をそれぞれ本締めする。
【０１５４】
第１締め付け用ボルト・ナット６１１の締め付け用ナット６１１ａが本締めされることにより、第１及び第３バンド部材６０２、６０４の両他端が互いに接近する方向に締め付けられるとともに、第２締め付け用ボルト・ナット６１２の締め付け用ナット６１２ａが本締めされることにより、第２及び第５バンド部材６０３、６０６の両他端が互いに接近する方向に締め付けられる。これにより、第１バンド補助部材５０１の幅方向の一端縁が第１アングル材４０１の内側角部に強力に圧接され、第１バンド補助部材５０１と第１アングル材４０１が一体化されることになる。
【０１５５】
さらに、第１締め付け用ボルト・ナット６１１の締め付け用ナット６１１ａが本締めされることにより、第１及び第３バンド部材６０２、６０４の両他端が互いに接近する方向に締め付けられるとともに、第３締め付け用ボルト・ナット６１３の締め付け用ナット６１３ａが本締めされることにより、第４バンド部材６０５の他端と第６バンド部材６０７の他端が互いに接近する方向に締め付けられる。これにより、第２バンド補助部材５０２の幅方向の一端縁が第２アングル材４０２の内側角部に強力に圧接され、第２バンド補助部材５０２と第２アングル材４０２が一体化されることになる。
【０１５６】
そして、第１締め付け用ボルト・ナット６１１が本締めされた後は、ロックナット６１１ｂを締め付けて第１の締め付け用ボルト・ナット６１１の緩みを防止する。また、第２締め付け用ボルト・ナット６１２が本締めされた後は、ロックナット６１２ｂを締め付けて第２締め付け用ボルト・ナット６１２の緩みを防止する。さらに、第３締め付け用ボルト・ナット６１３が本締めされた後は、ロックナット６１３ｂを締め付けて第３締め付け用ボルト・ナット６１３の緩みを防止する。
【０１５７】
なお、本発明に係る鉄骨構造物の補強装置３０は、トラス構造物に限らず、プラットトラス、トラス柱、トラス梁などを構成するパラレル型山形鋼集成体にも適用できることは勿論であり、特許請求の範囲に記載した要件を逸脱しない範囲において種々変更することは勿論である。また、本発明におけるパラレル型山形鋼集成体は、上記実施の形態に示すような等辺山形鋼から構成されたものに限らず、不等辺山形鋼から構成されたものであってもよい。また、パラレル型山形鋼集成体を補強する場合の施工手順は、上記実施の形態で述べた方法に限定されず、作業現場の環境及び状況に応じて種々変更される。
【０１５８】
（第７の実施の形態）
以下、本発明に係る補強装置３０を２つのアングル材４０１、４０２の角部同士を互いに合わせて略十字型が形成されるように組み合わせてなるパラレル型山形鋼集成体に取り付ける第７の実施形態について、図２８、２９を参照して説明する。
【０１５９】
第１アングル材７０１と第２アングル材７０２の角部同士を互いに合わせて十字型が形成されるように組み合わせてパラレル型山形鋼集成体を構成している。
【０１６０】
第１バンド補助部材８０１は、図２８に示したように、第１アングル材７０１の両辺の幅より大きい幅を有し、該幅方向の一端縁が第１アングル材７０１の内側角部に当接し、第１アングル材７０１の両辺が形成する開口部の角度が二分される中間に位置するようにして第１アングル材７０１の長さ方向の全長に亘り延在して配置されている。
【０１６１】
第２バンド補助部材８０２は、図２９に示したように、第２アングル材７０２の両辺の幅より大きい幅を有し、該幅方向の一端縁が第２アングル材７０２の内側角部に当接し、第２アングル材７０２の両辺が形成する開口部の角度が二分される中間に位置するようにして第２アングル材７０２の長さ方向の全長に亘り延在して配置されている。
【０１６２】
第１アングル材７０１及び第２アングル材７０２の長さ方向の複数箇所で第１バンド補助部材８０１を第１アングル材７０１に一体に固定し、かつ第２バンド補助部材８０２を第２アングル材７０２に一体に固定する複数の固定具９００を備えている。
【０１６３】
支持板材９０１は、第１アングル材７０１及び第２アングル材７０２の一方の辺同士間に形成された隙間を貫通して第１アングル材７０１及び第２アングル材７０２の長さ方向と直交する方向に延在するように配置されている。
【０１６４】
第１バンド部材９０２と第２バンド部材９０３は、第１アングル材７０１の外側へ突出する第１バンド補助部材８０１の先端部に第１結合用ボルト・ナット９１０により一端がそれぞれ固定されている。第３バンド部材９０４と第４バンド部材９０５は、第２アングル材７０２の外側へ突出する第２バンド補助部材８０２の先端部に第２結合用ボルト・ナット９１１により一端がそれぞれ固定されている。
【０１６５】
第５バンド部材９０６と第６バンド部材９０７は、第１アングル材７０１及び第２アングル材７０２の他方の辺同士間に形成された隙間から外側へ突出する支持板材９０１の一方の先端部に第３結合用ボルト・ナット９１２により一端がそれぞれ固定されている。第７バンド部材９０８と第８バンド部材９０９は、第１アングル材７０１及び第２アングル材７０２の他方の辺同士間に形成された隙間から外側へ突出する支持板材９０１の他方の先端部に第４結合用ボルト・ナット９１３により一端がそれぞれ固定されている。
【０１６６】
第１アングル材７０１及び第２アングル材７０２の一方の辺同士間に形成された隙間から外側へ突出する支持板材９０１の一端と、第１アングル材７０１の内側角部に当接しかつ両辺が形成する開口部の角度が二分される中間に位置する第１バンド補助部材８０１との間に配置された第１バンド部材９０２と第６バンド部材９０７の端部を第１締め付け用ボルト・ナット９１４で圧接させている。
【０１６７】
第１アングル材７０１及び第２アングル材７０２の一方の辺同士間に形成された隙間から外側へ突出する支持板材９０１の他端と第１アングル材７０１の内側角部に当接しかつ両辺が形成する開口部の角度が二分される中間に位置する第１バンド補助部材８０１との間に配置された第２バンド部材９０３と第７バンド部材９０８の端部を第２締め付け用ボルト・ナット９１５で圧接させている。
【０１６８】
第１アングル材７０１及び第２アングル材７０２の一方の辺同士間に形成された隙間から外側へ突出する支持板材９０１の一端と第２アングル材７０２の内側角部に当接しかつ両辺が形成する開口部の角度が二分される中間に位置する第２バンド補助部材８０２との間に配置された第４バンド部材９０５と第５バンド部材９０６の端部を第３締め付け用ボルト・ナット９１６で圧接させている。
【０１６９】
第１アングル材７０１及び第２アングル材７０２の一方の辺同士間に形成された隙間から外側へ突出する支持板材９０１の他端と第２アングル材の内側角部に当接しかつ両辺が形成する開口部の角度が二分される中間に位置する第２バンド補助部材８０２との間に配置された第３バンド部材９０４と第８バンド部材９０９の端部を第４締め付け用ボルト・ナット９１７で圧接させている。
【０１７０】
第１〜４結合用ボルト・ナット９１０〜９１３および第１〜４締め付け用ボルト・ナット９１４〜９１７は、第１〜８バンド部材９０２〜９０９に、それぞれ１組ずつ配置している。第１〜４結合用ボルト・ナット９１０〜９１３および第１〜４締め付け用ボルト・ナット９１４〜９１７は、第１〜８バンド部材９０２〜９０９に予め溶接しておいてもよい。
【０１７１】
また、第１〜８バンド部材９０２〜９０９の下部に補強用リブを設けた。図２８、２９では各バンド部材の下部に補強用リブを設けた実施形態を示しているが、上部でもよく、上部下部の両方でもよい。
【０１７２】
（第８の実施の形態）
以下、本発明に係る付帯設備取付装置を用いて避雷針１５を取り付ける第８の実施形態について、図３０〜３４を参照して説明する。
【０１７３】
図３０において、既存のアンテナ用鉄塔１０（請求項に記載した構造物に相当する）は、Ｌ形の両辺が等しい等辺山形鋼材からなり支柱となる４本のアングル材１２と、これらアングル材１２間に差し渡されるトラス構造材１３とを備えている。
【０１７４】
アンテナ用鉄塔１０の最上部には通信用のパラボラアンテナ１４が設置され、さらに避雷針１５（請求項に記載した付帯設備に相当する）がアンテナ用鉄塔１０の上方に延在して設置されている。また、パラボラアンテナ１４の下方に位置してアンテナ用鉄塔１０に設けられたプラットホーム１６の周囲には複数の受信用アンテナ１７が設置されている。さらにプラットホーム１６の下方に位置してアンテナ用鉄塔１０に設けられたプラットホーム１８の周囲には複数の送信用アンテナ１９が設置されている。
【０１７５】
付帯設備取付装置３０は、アンテナ用鉄塔１０のアングル材１２に避雷針１５を取り付けるためのもので、図３０〜３２に示すように、避雷針１５をアングル材１２に固定するための固定具２０を備える。
【０１７６】
固定具２０は、アングル材１２の両辺をそれぞれの外側面側から挟持するように左右対称に配置される第１バンド部材３０１及び第２バンド部材３０２と、バンド補助部材３０３と、一組の結合用ボルト・ナット３０４と、一組の締め付け用ボルト・ナット３０５と、支持体３０６とを含んで構成される。本実施形態では、第１バンド部材３０１及び第２バンド部材３０２が特許請求の範囲の２つのバンド部材に相当している。
【０１７７】
第１バンド部材３０１は、アングル材１２への避雷針１５の固定に使用されるもので、鋼板材からなり、アングル材１２の一方の辺１２１の外側面と接するように一方の辺１２１の幅方向と直交する方向に延在して配置される。
【０１７８】
第１バンド部材３０１は、図３２に示すように、アングル材１２の一方の辺１２１の外側面に圧接し、かつ一方の辺１２１の幅より大きい長さを有する第１挟持部３０１１と、第１挟持部３０１１の一端部に、当該一端部からバンド補助部材３０３の一端部に向け斜めに延在して設けられた第１連結部３０１２と、第１連結部３０１２の先端に設けられ、バンド補助部材３０３の一端部に結合される第１結合部３０１３と、第１連結部３０１２と反対に位置する第１挟持部３０１１の端部に設けられ第１バンド部材３０１に締め付け力を生じさせる第１締め付け部３０１４を有している。
【０１７９】
また、第１バンド部材３０１の剛性を高めるために第１連結部３０１２と第１結合部３０１３との接合箇所には補強用リブ３０１５が第１連結部３０１２と第１結合部３０１３間に差し渡し状態に設けられている。さらに、第１バンド部材３０１の剛性を高めるために第１挟持部３０１１と第１締め付け部３０１４との接合箇所には補強用リブ３０１６が第１挟持部３０１１と第１締め付け部３０１４間に差し渡し状態に設けられている。
【０１８０】
第２バンド部材３０２は、アングル材１２への避雷針１５の固定に使用されるもので、鋼板材からなり、アングル材１２の他方の辺１２２の外側面と接するように他方の辺１２２の幅方向と直交する方向に延在して配置される。
【０１８１】
第２バンド部材３０２は、アングル材１２の他方の辺１２２の外側面に圧接し、かつ他方の辺１２２の幅より大きい長さを有する第２挟持部３０２１と、第２挟持部３０２１の一端部に、当該一端部からバンド補助部材３０３の一端部に向け斜めに延在して設けられた第２連結部３０２２と、第２連結部３０２２の先端に設けられバンド補助部材３０３の一端部に結合される第２結合部３０２３と、第２結合部３０２３と反対に位置する第２挟持部３０２１の端部に設けられ第２バンド部材３０２に締め付け力を生じさせる第２締め付け部３０２４を有している。
【０１８２】
また、第２バンド部材３０２の剛性を高めるために第２連結部３０２２と第２結合部３０２３との連結部分には補強用リブ３０２５が第２連結部３０２２と第２結合部３０２３間に差し渡し状態に設けられている。さらに、第２バンド部材３０２の剛性を高めるために第２挟持部３０２１と第２締め付け部３０２４との連結部分には補強用リブ３０２６が第２挟持部３０２１と第２締め付け部３０２４間に差し渡し状態に設けられている。
【０１８３】
バンド補助部材３０３は、支持体３０６を第１及び第２バンド部材３０１、３０２によりアングル材１２に固定する際の補助的機能を発揮させるとともに支持体３０６の支持に兼用されるもので、短冊状の鋼板材から成形される。
【０１８４】
バンド補助部材３０３は、図３２に示すように、アングル材１２の内側に両辺１２１と１２２が形成する角度を二分するようにして、アングル材１２の内側角部１２４から離間する方向に延在して配置される。
【０１８５】
また、バンド補助部材３０３は、アングル材１２の内側角部１２４と反対のバンド補助部材３０３の一端部をバンド補助部材３０３の長手方向に延長することにより一体に設けられた連結部３０３１を有しており、この連結部３０３１には、付帯設備である避雷針１５を支持する支持体３０６が取り付けられている。
【０１８６】
支持体３０６は避雷針１５を固定具３０に取り付けるためのもので、図３１、３２に示すように、所定長さの筒状の支柱３０６ａと、支柱３０６ａの下端外周に溶接により固定された補強用リブ３０６ｂ付きの取付部３０６ｃを有しており、この取付部３０６ｃを一組の高力ボルト・ナットからなるボルト・ナット３０７により連結部３０３１に取り付けることで、避雷針１５をアングル材１２に一体に固定するように構成されている。
【０１８７】
結合用ボルト・ナット３０４は、アングル材１２の両辺１２１と１２２の内側で、バンド補助部材３０３の一端部を第１バンド部材３０１の第１結合部３０１３と第２バンド部材３０２の第２結合部３０２３とで挟持した状態で、これら両結合部３０１３及び３０２３をバンド補助部材３０３の一端部に固定し一体化するものであり、高力ボルト・ナットからなり、結合用のナット３０４ａのほかに、この結合用ナット３０４ａの緩みを防止するロックナット３０４ｂを備えている。
【０１８８】
締め付け用ボルト・ナット３０５は、アングル材の１２の両辺１２１と１２２の内側と反対側、すなわち両辺１２１と１２２が形成する外側角部１２３で、第１バンド部材３０１の第１締め付け部３０１４と第２バンド部材３０２の第２締め付け部３０２４を互いに接近する方向に締め付けることにより第１バンド部材３０１をアングル材の１２の一方の辺１２１の外側面に沿い摺接させながらアングル材１２の外側角部１２３側へ移動するためのものである。
【０１８９】
これと同時に、締め付け用ボルト・ナット３０５は、第２バンド部材３０２をアングル材の１２の他方の辺１２２の外側面に沿い摺接させながらアングル材１２の外側角部１２３側へ移動してバンド補助部材３０３の他端部３０３ｂをアングル材１２の内側角部１２４に押圧するためのものである。
【０１９０】
さらに、締め付け用ボルト・ナット３０５は、第１バンド部材３０１の第１挟持部３０１１及び第２バンド部材３０２の第２挟持部３０２１をアングル材１２の両辺１２１と１２２の外側面に圧接することで第１バンド部材３０１、第２バンド部材３０２、バンド補助部材３０３をアングル材１２に固定するためのものである。
【０１９１】
この締め付け用ボルト・ナット３０５は、高力ボルト・ナットからなり、締め付け用ナ
ット３０５ａのほかに、この締め付け用のナット３０５ａの緩みを防止するロックナット
３０５ｂを備えている。
【０１９２】
次に、上記のように構成された付帯設備取付装置３０を用いて、避雷針１５をアングル材１２に固定する場合の一例について説明する。
【０１９３】
まず、図３４に示すように、バンド補助部材３０３の両面に第１バンド部材３０１の第１結合部３０１３及び第２バンド部材３０２の第２結合部３０２３を面対称に重ね合わせ、かつバンド補助部材３０３のボルト孔３０３ａに第１結合部３０１３のボルト孔３０１３ａと第２結合部３０２３のボルト孔３０２３ａを一致させる。
【０１９４】
この状態でこれら３者のボルト孔に結合用ボルト・ナット３０４のボルトを挿通し、その挿通先端部分に結合用ナット３０４ａを螺合することにより第１バンド部材３０１と第２バンド部材３０２をバンド補助部材３０３に仮結合する。この仮結合状態では、結合用ボルト・ナット３０４のボルトを支点にしてバンド補助部材３０３から離間する方向に開き得る。
【０１９５】
この場合、第１バンド部材３０１の第１挟持部３０１１を含む第１締め付け部３０１４と第２バンド部材３０２の第２挟持部３０２１を含む第２締め付け部３０２４との間隔を、アングル材１２の両辺１２１と１２２間の間隔より大きくしておくことが、第１及び第２バンド部材３０１、３０２をアングル材１２に組み込むのに好ましい。
【０１９６】
次に、第１バンド部材３０１と第２バンド部材３０２を結合用ボルト・ナット３０４のボルトを支点にして上述のように開いた状態で、バンド補助部材３０３の他端部３０３ｂをアングル材１２の内側角部１２４に押し当てる。
【０１９７】
次いで、開いた状態の第１バンド部材３０１及び第２バンド部材３０２を、結合用ボルト・ナット３０４のボルトを支点にしてアングル材１２が両側面から挟持される方向に回動し、第１バンド部材３０１の第１挟持部３０１１をアングル材１２の一方の辺１２１の外側面に当接させ、第２バンド部材３０２の第２挟持部３０２１をアングル材１２の他方の辺１２２の外側面に当接させる。
【０１９８】
この状態で、結合用ナット３０４ａを締め付けることにより第１バンド部材３０１と第２バンド部材３０２をバンド補助部材３０３に固定するとともに、第１挟持部３０１１をアングル材１２一方の辺１２１の外側面に押し当て、かつ第２挟持部３０２１をアングル材１２の他方の辺１２２の外側面に押し当てる。
【０１９９】
その後、結合用ボルト・ナット３０４のボルトにロックナット３０４ｂを螺合し締め付
けることにより第１バンド部材３０１及び第２バンド部材３０２をバンド補助部材３０３
に確実に固定する。
【０２００】
次に、第１バンド部材３０１の第１締め付け部３０１４に形成したボルト孔３０１４ａ及び第２バンド部材３０２の第２締め付け部３０２４に形成したボルト孔３０２４ａに締め付け用ボルト・ナット３０５のボルトを挿通し、その挿通端部に締め付け用のナット３０５ａを螺合して第１締め付け部３０１４と第２締め付け部３０２４を互いに接近する方向に締め付けることにより、第１バンド部材３０１をアングル材１２の一方の辺１２１の外側面に沿い圧接させながらアングル材１２の外側角部１２３側へ摺動させ、同時に第２バンド部材３０２をアングル材の１２の他方の辺１２２の外側面に沿い圧接させながらアングル材１２の外側角部１２３側へ摺動させる。
【０２０１】
これによりバンド補助部材３０３の他端部３０３ｂをアングル材１２の内側角部１２４に強力に押圧するとともに第１バンド部材３０１の第１挟持部３０１１及び第２バンド部材３０２の第２挟持部３０２１をアングル材１２一方の辺１２１の外側面及び他方の辺１２２の外側面をそれぞれ圧接させる。
【０２０２】
これにより、第１及び第２バンド部材３０１、３０２、バンド補助部材３０３をアングル材１２に固定し一体化する。その後、締め付け用ボルト・ナット３０５のボルトにロックナット３０５ｂを螺合し締め付けることにより固定具２０をアングル材１２に確実に固定をする。
【０２０３】
特に、図３２に示すように、第１バンド部材３０１の第１締め付け部３０１４寄りの第１挟持部３０１１の一部分がアングル材１２の一方の辺１２１の外側面に部分的に圧接し、かつ第２バンド部材３０２の第２締め付け部３０２４寄りの第２挟持部３０２１の一部分がアングル材１２の他方の辺１２２の外側面に部分的に圧接し、これらの部分を除く他の部分では接しないように、アングル材１２の両辺１２１及び１２２の各外側面と、これにそれぞれ対向する第１バンド部材３０１の第１挟持部３０１１及び第２バンド部材３０２の第２挟持部３０２１が全面に渡り接触することのない部分接触構造で、かつ締付力がアングル材１２の両辺角部に集中することが望ましい。
【０２０４】
このような構造にすることにより、アングル材１２の両辺１２１及び１２２に対する第１及び第２挟持部３０１１、３０２１の摩擦抵抗が低減され、締め付け用ボルト・ナット３０５による第１及び第２バンド部材３０１、３０２の締め付け操作が容易になり、固定具２０をアングル材１２に確実に固定することが可能になる。
【０２０５】
上述のようにアングル材１２に固定された固定具２０に避雷針１５の支持体３０６を取り付ける場合は、支柱３０６ａに設けた取付部３０６ｃを一組のボルト・ナット３０７によりバンド補助部材３０３の連結部３０３１に固定することにより行われる。
【０２０６】
この場合、支持体３０６の支柱３０６ａをアングル材１２に固定するための固定具２０の数は１つに限らず、避雷針１５の機能や規模及び設置場所等に応じて複数用いられることもある。
【０２０７】
また、アングル材１２に付帯設備取付装置３０を取り付ける手順は、上述した方式に限定されないことは勿論であり、付帯設備取付装置３０が取り付けられる鉄塔の環境や鉄塔への取り付け箇所等に応じて変更されるものである。
【０２０８】
上記のような実施形態を示す付帯設備取付装置３０によれば、第１バンド部材３０１及び第２バンド部材３０２を結合用ボルト・ナット３０４によりバンド補助部材３０３に一体に結合し、この状態で、締め付け用ボルト・ナット３０５により第１バンド部材３０１の第１締め付け部３０１４と第２バンド部材３０２の第２締め付け部３０２４とが互いに接近する方向に締め付けることにより、第１バンド部材３０１をアングル材の１２の一方の辺１２１の外側面に沿い圧接させながら第１バンド部材３０１をアングル材１２の外側角部１２３側へ摺動させるとともに第２バンド部材３０２をアングル材の１２の他方の辺１２２の外側面に沿い圧接させながらアングル材１２の外側角部１２３側へ摺動させ、さらにバンド補助部材３０３の他端部３０３ｂをアングル材１２の内側角部１２４に強力に押圧するとともに第１バンド部材３０１の第１挟持部３０１１及び第２バンド部材３０２の第２挟持部３０２１をアングル材１２の一方の辺１２１の外側面及び他方の辺１２２の外側面にそれぞれ圧接させ、バンド補助部材３０３、第１及び第２バンド部材３０１、３０２をアングル材１２に固定し一体化する構成にした。
【０２０９】
したがって、既存の鉄塔のアングル材１２に避雷針１５を取り付ける際に、アングル材１２自体に何らの加工を施すことなく、現地で避雷針１５を容易に取り付けることができ、併せてアングル材１２に対する避雷針１５の取り付け保持力を半永久的に確保することができる。
【０２１０】
また、締め付け用ボルト・ナット３０５により第１バンド部材３０１の第１締め付け部３０１４と第２バンド部材３０２の第２締め付け部３０２４とが互いに接近する方向に締め付けるだけで固定具２０をアングル材１２に固定し得るため、鉄塔への避雷針１５の取り付け工事の効率化及び低コスト化を実現できる。
【０２１１】
さらに、第１バンド部材３０１及び第２バンド部材３０２は補強用リブ３０１５、３０１６、３０２５、３０２６により補強されているため、第１及び第２バンド部材３０１、３０２の剛性が向上し、固定具２０とアングル材１２との一体化を、より強固にすることができる。
【０２１２】
なお、ここでは第８の実施形態として、図１〜４に示すような装置を付帯設備取付装置３０として使用する場合を示したが、図５〜８、図９〜１２、図１３〜１６に示した装置を付帯設備取付装置３０として用いてもよい。図５〜８、図９〜１２のように補強用リブ３０１５、３０１６、３０２５、３０２６を片側だけに設けた装置であっても十分に効果を発揮する。
【０２１３】
本発明に係る付帯設備取付装置３０は、上記の実施形態に示す鉄塔へのアンテナや避雷針の取り付けに限定されず、山形鋼材からなるアングル材またはパラレル型山形鋼集成体を構成する一対のアングル鋼材を用いた構造物にアンテナや避雷針を含むその他の付帯設備の取り付けにも適用できることは勿論であり、特許請求の範囲に記載した要件を逸脱しない範囲において種々変更することは勿論である。
【０２１４】
（第９の実施の形態）
以下、２つのアングル材を組み合わせてなるパラレル型山形鋼集成体に本発明に係る付帯設備取付装置を用いて避雷針１５を取り付ける第９の実施形態について、図３５〜３６を参照して説明する。
【０２１５】
第１アングル材４０１と第２アングル材４０２の一方の辺同士が互いに近接して平行に配列されるように組み合わせてなるパラレル型山形鋼集成体４００を用いて構成される既設構造物に付帯設備を取り付けるための付帯設備取付装置３０を示した。
【０２１６】
第１バンド補助部材５０１は、第１アングル材４０１の両辺の幅より大きい幅を有し、該幅方向の一端縁が第１アングル材４０１の内側角部に当接しかつ両辺が形成する開口部の角度が二分される中間に位置するようにして第１アングル材４０１の長さ方向の全長に亘り延在して配置されている。
【０２１７】
第２バンド補助部材５０２も同様に、第２アングル材４０２の両辺の幅より大きい幅を有し、該幅方向の一端縁が第２アングル材４０２の内側角部に当接しかつ両辺が形成する開口部の角度が二分される中間に位置するようにして第２アングル材４０２の長さ方向の全長に亘り延在して配置されている。
【０２１８】
第１アングル材４０１及び第２アングル材４０２の長さ方向の複数箇所で、複数の固定具を備え、第１バンド補助部材５０１を第１アングル材４０１に一体に固定し、かつ第２バンド補助部材５０２を第２アングル材４０２に一体に固定する。
【０２１９】
第１アングル材４０１及び第２アングル材４０２の一方の辺同士間に形成された隙間を貫通して第１アングル材４０１及び第２アングル材４０２の長さ方向と直交する方向に延在するように支持板材６０１が配置されている。
【０２２０】
第１アングル材４０１の外側へ突出する第１バンド補助部材５０１の先端部に第１結合用ボルト・ナット６０８により第１バンド部材６０２及び第２バンド部材６０３の一端がそれぞれ固定されている。
【０２２１】
第２アングル材４０２の外側へ突出する第２バンド補助部材５０２の先端部に第２結合用ボルト・ナット６０９により第３バンド部材６０４及び第４バンド部材６０５の一端がそれぞれ固定されている。
【０２２２】
第１アングル材４０１及び第２アングル材４０２の他方の辺同士間に形成された隙間から外側へ突出する支持板材６０１に第３結合用ボルト・ナット６１０により第５バンド部材６０６及び第６バンド部材６０７の一端がそれぞれ固定されている。
【０２２３】
第１締め付け用ボルト・ナット６１１は、第１アングル材４０１及び第２アングル材４０２の一方の辺同士間に形成された隙間から外側へ突出する支持板材６０１の先端部の両面に第１バンド部材６０２の他端及び第３バンド部材６０４の他端をそれぞれ対向配置するとともに当該両他端が互いに接近する方向に締め付けることで第１アングル材４０１を第１アングル材４０１の内側角部に圧接させかつ第２バンド補助部材５０２を第２アングル材４０２の内側角部に圧接させている。
【０２２４】
第２締め付け用ボルト・ナット６１２は、第２バンド部材６０３の他端と第５バンド部材６０６の他端をそれぞれ対向配置するとともに当該両他端を互いに接近する方向に締め付けることで第１バンド補助部材５０１を第１アングル材５０１の内側角部に圧接させている。
【０２２５】
第３締め付け用ボルト・ナット６１３は、第４バンド部材６０５の他端と第６バンド部材６０７の他端をそれぞれ対向配置するとともに当該両他端を互いに接近する方向に締め付けることで第２バンド補助部材５０２を第２アングル材４０２の内側角部に圧接させている。
【０２２６】
支持板材６０１の延在端部には、付帯設備が取り付けられる支持体３０６を有している。第１〜３結合用ボルト・ナット６０８〜６１０および第１〜３締め付け用ボルト・ナット６１１〜６１３は、第１〜６バンド部材６０２〜６０７の一端部および他端部に、それぞれ１組のみ配置した。
【０２２７】
付帯設備取付装置３０において、第１〜６バンド部材６０２〜６０７の外面には補強用リブが設けられている。補強用リブは第１〜６バンド部材６０２〜６０７の上部または下部に設ければよい。また、第１〜３結合用ボルト・ナット６０８〜６１０および第１〜３締め付け用ボルト・ナット６１１〜６１３は予め第１〜６バンド部材６０２〜６０７に溶接しておくこともできる。
【符号の説明】
【０２２８】
１０…アンテナ用鉄塔
１２…アングル材
１２１…アングル材の辺
１２２…アングル材の辺
１２３…外側角部
１２４…内側角部
１３…トラス構造体
１４…パラボラアンテナ
１５…避雷針
１６…プラットホーム
１７…受信用アンテナ
１８…プラットホーム
１９…送信用アンテナ
２０…固定具
３０…補強装置または付帯設備取付装置
３０１…第１バンド部材
３０１１…第１挟持部
３０１２…第１連結部
３０１３…第１結合部
３０１４…第１締め付け部
３０１５…補強用リブ
３０１６…補強用リブ
３０２…第２バンド部材
３０２１…第２挟持部
３０２２…第２連結部
３０２３…第２結合部
３０２４…第２締め付け部
３０２５…補強用リブ
３０２６…補強用リブ
３０２７…屈曲部
３０２８…屈曲部
３０３…バンド補助部材
３０３ａ…バンド補助部材のボルト孔
３０３ｂ…バンド補助部材の他端部
３０３１…連結部
３０４…結合用ボルト・ナット
３０４ａ…結合用ナット
３０４ｂ…ロックナット
３０５…締め付け用ボルト・ナット
３０５ａ…締め付け用ナット
３０５ｂ…ロックナット
３０６…支持体
３０６ａ…支柱
３０６ｂ…補強用リブ
３０６ｃ…取付部
４００…パラレル型山形鋼集成体
４０１…第１アングル材
４０２…第２アングル材
５０１…第１バンド補助部材
５０２…第２バンド補助部材
６００…固定具
６０１…支持板材
６０２…第１バンド金具
６０３…第２バンド金具
６０４…第３バンド金具
６０５…第４バンド金具
６０６…第５バンド金具
６０７…第６バンド金具
６０８…第１結合用ボルト・ナット
６０９…第２結合用ボルト・ナット
６１０…第３結合用ボルト・ナット
６１１…第１締め付け用ボルト・ナット
６１２…第２締め付け用ボルト・ナット
６１３…第３締め付け用ボルト・ナット
７０１…第１アングル材
７０２…第２アングル材
８０１…第１バンド補助部材
８０２…第２バンド補助部材
９００…固定具
９０１…支持部材
９０２…第１バンド部材
９０３…第２バンド部材
９０４…第３バンド部材
９０５…第４バンド部材
９０６…第５バンド部材
９０７…第６バンド部材
９０８…第７バンド部材
９０９…第８バンド部材
９１０…第１結合用ボルト・ナット
９１１…第２結合用ボルト・ナット
９１２…第３結合用ボルト・ナット
９１３…第４結合用ボルト・ナット
９１４…第１締め付け用ボルト・ナット
９１５…第２締め付け用ボルト・ナット
９１６…第３締め付け用ボルト・ナット
９１７…第４締め付け用ボルト・ナット
【図１】
2020070652.tif 000003
【図２】
2020070652.tif 000004
【図３】
2020070652.tif 000005
【図４】
2020070652.tif 000006
【図５】
2020070652.tif 000007
【図６】
2020070652.tif 000008
【図７】
2020070652.tif 000009
【図８】
2020070652.tif 000010
【図９】
2020070652.tif 000011
【図１０】
2020070652.tif 000012
【図１１】
2020070652.tif 000013
【図１２】
2020070652.tif 000014
【図１３】
2020070652.tif 000015
【図１４】
2020070652.tif 000016
【図１５】
2020070652.tif 000017
【図１６】
2020070652.tif 000018
【図１７】
2020070652.tif 000019
【図１８】
2020070652.tif 000020
【図１９】
2020070652.tif 000021
【図２０】
2020070652.tif 000022
【図２１】
2020070652.tif 000023
【図２２】
2020070652.tif 000024
【図２３】
2020070652.tif 000025
【図２４】
2020070652.tif 000026
【図２５】
2020070652.tif 000027
【図２６】
2020070652.tif 000028
【図２７】
2020070652.tif 000029
【図２８】
2020070652.tif 000030
【図２９】
2020070652.tif 000031
【図３０】
2020070652.tif 000032
【図３１】
2020070652.tif 000033
【図３２】
2020070652.tif 000034
【図３３】
2020070652.tif 000035
【図３４】
2020070652.tif 000036
【図３５】
2020070652.tif 000037
【図３６】
2020070652.tif 000038
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
断面がＬ形を呈する両辺を有するアングル材を用いて構成されている既設構造物の補強装置であって、
前記補強装置は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル材の辺の外側面に沿い摺接させながら前記外側角部側へ移動し、前記バンド補助部材の端縁を前記アングル材の内側角部に押圧することにより前記バンド補助部材を前記アングル材に一体に固定する締め付け用ボルト・ナットと、
を有する既設構造物の補強装置において、
前記結合用ボルト・ナットおよび前記締め付け用ボルト・ナットは、前記バンド部材の前記一端部および前記他端部に、それぞれ複数組配置する構成とはせずに、それぞれ１組のみ配置するようにし、
前記バンド部材の外面には補強用リブが設けられており、
前記補強用リブは、前記２つのバンド部材の上部または下部のいずれか一方に設けられている
ことを特徴とする既設構造物の補強装置。
【請求項２】
請求項１記載の既設構造物の補強装置において、
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部であることを特徴とする既設構造物の補強装置。
【請求項３】
請求項１または２記載の既設構造物の補強装置において、
前記補強用リブは、前記２つのバンド部材を組み合わせて前記アングル材に取り付けた時に前記２つのバンド部材の補強用リブが互いに上下異なる側に位置するようにした
ことを特徴とする既設構造物の補強装置。
【請求項４】
請求項１、２または３記載の既設構造物の補強装置において、
組み合わせる２つの前記バンド部材において、
いずれか一方の前記バンド部材の長手方向の端部が他方のバンド部材の長手方向の端部を覆うように屈曲している
ことを特徴とする既設構造物の補強装置。
【請求項５】
構造物を構成する断面がＬ形を呈する両辺を有するアングル材に付帯設備を取り付けるための付帯設備取付装置であって、
前記付帯設備を前記アングル材に固定する固定具を備え、
前記固定具は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、
前記バンド補助部材の延在端部に設けられ前記付帯設備が取り付けられる支持体と
を有する付帯設備取付装置において、
前記結合用ボルト・ナットおよび前記締め付け用ボルト・ナットは、前記バンド部材の前記一端部および前記他端部に、それぞれ複数組配置する構成とはせずに、それぞれ１組のみ配置するようにし、
前記バンド部材の外面には補強用リブが設けられており、
前記補強用リブは、前記２つのバンド部材の上部または下部のいずれか一方に設けられている
ことを特徴とする付帯設備取付装置。
【請求項６】
請求項５記載の付帯設備取付装置において、
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部であることを特徴とする付帯設備取付装置。
【請求項７】
請求項６記載の付帯設備取付装置において、
前記補強用リブは、前記２つのバンド部材を組み合わせて前記アングル材に取り付けた時に前記２つのバンド部材の補強用リブが互いに上下異なる側に位置するようにした
ことを特徴とする付帯設備取付装置。
【請求項８】
請求項５、６、または７記載の付帯設備取付装置において、
組み合わせる２つの前記バンド部材において、
いずれか一方の前記バンド部材の長手方向の端部が他方のバンド部材の長手方向の端部を覆うように屈曲している
ことを特徴とする付帯設備取付装置。
【請求項９】
第１アングル材と第２アングル材とを、当該両アングル材の一方の辺同士が互いに近接して平行に配列されるように組み合わせてなるパラレル型山形鋼集成体を用いて構成される既設構造物の補強装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の先端部に第３結合用ボルト・ナットにより一端がそれぞれ固定された第５及び第６バンド部材と、
前記第１及び第２アングル材の一方の辺同士間に形成された隙間から外側へ突出する前記支持板材の先端部の両面に前記第１バンド部材の他端及び前記第３バンド部材の他端をそれぞれ対向配置するとともに当該両他端が互いに接近する方向に締め付けることで前記第１アングル材を前記第１アングル材の内側角部に圧接させかつ前記第２バンド補助部材を前記第２アングル材の内側角部に圧接させる第１締め付け用ボルト・ナットと、
前記第２バンド部材の他端と前記第５バンド部材の他端をそれぞれ対向配置するとともに当該両他端を互いに接近する方向に締め付けることで前記第１バンド補助部材を前記第１アングル材の内側角部に圧接させる第２締め付け用ボルト・ナットと、
前記第４バンド部材の他端と前記第６バンド部材の他端をそれぞれ対向配置するとともに当該両他端を互いに接近する方向に締め付けることで前記第２バンド補助部材を前記第２アングル材の内側角部に圧接させる第３締め付け用ボルト・ナットとを有する既設構造物の補強装置において、
前記第１〜３結合用ボルト・ナットおよび前記第１〜３締め付け用ボルト・ナットは、前記第１〜６バンド部材に、それぞれ複数組配置する構成とはせずに、それぞれ１組のみ配置するようにし、
前記第１〜６バンド部材の外面には補強用リブが設けられており、前記補強用リブは６つの前記バンド部材の上部または下部のいずれか一方に設けられている
ことを特徴とする既設構造物の補強装置。
【請求項１０】
第１アングル材と第２アングル材とを、当該両アングル材の角部同士を互いに合わせて十字型が形成されるように組み合わせてなるパラレル型山形鋼集成体を用いて構成される既設構造物の補強装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の一方の先端部に第３結合用ボルト・ナットにより一端がそれぞれ固定された第５及び第６バンド部材と、
前記第１及び第２アングル材の他方の辺同士間に形成された隙間から外側へ突出する前記支持板材の他方の先端部に第４結合用ボルト・ナットにより一端がそれぞれ固定された第７及び第８バンド部材と、
前記第１及び第２アングル材の一方の辺同士間に形成された隙間から外側へ突出する前記支持板材の一端と前記第１アングル材の内側角部に当接しかつ両辺が形成する開口部の角度が二分される中間に位置する前記第１バンド補助部材との間に配置された前記第１バンド部材と前記第６バンド部材の端部を圧接させる第１締め付け用ボルト・ナットと、
前記第１及び第２アングル材の一方の辺同士間に形成された隙間から外側へ突出する前記支持板材の他端と前記第１アングル材の内側角部に当接しかつ両辺が形成する開口部の角度が二分される中間に位置する前記第１バンド補助部材との間に配置された前記第２バンド部材と前記第７バンド部材の端部を圧接させる第２締め付け用ボルト・ナットと、
前記第１及び第２アングル材の一方の辺同士間に形成された隙間から外側へ突出する前記支持板材の一端と前記第２アングル材の内側角部に当接しかつ両辺が形成する開口部の角度が二分される中間に位置する前記第２バンド補助部材との間に配置された前記第４バンド部材と前記第５バンド部材の端部を圧接させる第３締め付け用ボルト・ナットと、
前記第１及び第２アングル材の一方の辺同士間に形成された隙間から外側へ突出する前記支持板材の他端と前記第２アングル材の内側角部に当接しかつ両辺が形成する開口部の角度が二分される中間に位置する前記第２バンド補助部材との間に配置された前記第３バンド部材と前記第８バンド部材の端部を圧接させる第４締め付け用ボルト・ナットとを有する既設構造物の補強装置において、
前記第１〜４結合用ボルト・ナットおよび前記第１〜４締め付け用ボルト・ナットは、前記第１〜８バンド部材に、それぞれ複数組配置する構成とはせずに、それぞれ１組のみ配置するようにし、
前記第１〜８バンド部材の外面には補強用リブが設けられており、前記補強用リブは８つの前記バンド部材の上部または下部のいずれか一方に設けられている
ことを特徴とする既設構造物の補強装置。
【請求項１１】
第１アングル材と第２アングル材とを、当該両アングル材の一方の辺同士が互いに近接して平行に配列されるように組み合わせてなるパラレル型山形鋼集成体を用いて構成される既設構造物に付帯設備を取り付けるための付帯設備取付装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の先端部に第３結合用ボルト・ナットにより一端がそれぞれ固定された第５及び第６バンド部材と、
前記第１及び第２アングル材の一方の辺同士間に形成された隙間から外側へ突出する前記支持板材の先端部の両面に前記第１バンド部材の他端及び前記第３バンド部材の他端をそれぞれ対向配置するとともに当該両他端が互いに接近する方向に締め付けることで前記第１アングル材を前記第１アングル材の内側角部に圧接させかつ前記第２バンド補助部材を前記第２アングル材の内側角部に圧接させる第１締め付け用ボルト・ナットと、
前記第２バンド部材の他端と前記第５バンド部材の他端をそれぞれ対向配置するとともに当該両他端を互いに接近する方向に締め付けることで前記第１バンド補助部材を前記第１アングル材の内側角部に圧接させる第２締め付け用ボルト・ナットと、
前記第４バンド部材の他端と前記第６バンド部材の他端をそれぞれ対向配置するとともに当該両他端を互いに接近する方向に締め付けることで前記第２バンド補助部材を前記第２アングル材の内側角部に圧接させる第３締め付け用ボルト・ナットと、
前記支持板材の延在端部に設けられ前記付帯設備が取り付けられる支持体とを有する付帯設備取付装置において、
前記第１〜３結合用ボルト・ナットおよび前記第１〜３締め付け用ボルト・ナットは、前記第１〜６バンド部材の前記一端部および前記他端部に、それぞれ複数組配置する構成とはせずに、それぞれ１組のみ配置するようにし、
前記第１〜６バンド部材の外面には補強用リブが設けられており、前記補強用リブは６つの前記バンド部材の上部または下部のいずれか一方に設けられている
ことを特徴とする付帯設備取付装置。
【請求項１２】
第１アングル材と第２アングル材とを、当該両アングル材の角部同士を互いに合わせて十字型が形成されるように組み合わせてなるパラレル型山形鋼集成体を用いて構成される既設構造物に付帯設備を取り付けるための付帯設備取付装置であって、
前記第１アングル材の両辺の幅より大きい幅を有し、該幅方向の一端縁が前記第１アングル材の内側角部に当接しかつ前記両辺が形成する開口部の角度が二分される中間に位置するようにして前記第１アングル材の長さ方向の全長に亘り延在して配置された第１バンド補助部材と、
前記第２アングル材の両辺の幅より大きい幅を有し、該幅方向の一端縁が前記第２アングル材の内側角部に当接しかつ前記両辺が形成する開口部の角度が二分される中間に位置するようにして前記第２アングル材の長さ方向の全長に亘り延在して配置された第２バンド補助部材と、
前記第１及び第２アングル材の長さ方向の複数箇所で前記第１バンド補助部材を前記第１アングル材に一体に固定しかつ前記第２バンド補助部材を前記第２アングル材に一体に固定する複数の固定具とを備え、
前記固定具は、
前記第１及び第２アングル材の一方の辺同士間に形成された隙間を貫通して前記第１及び第２アングル材の長さ方向と直交する方向に延在するように配置された支持板材と、
前記第１アングル材の外側へ突出する前記第１バンド補助部材の先端部に第１結合用ボルト・ナットにより一端がそれぞれ固定された第１及び第２バンド部材と、
前記第２アングル材の外側へ突出する前記第２バンド補助部材の先端部に第２結合用ボルト・ナットにより一端がそれぞれ固定された第３及び第４バンド部材と、
前記第１及び第２アングル材の他方の辺同士間に形成された隙間から外側へ突出する前記支持板材の一方の先端部に第３結合用ボルト・ナットにより一端がそれぞれ固定された第５及び第６バンド部材と、
前記第１及び第２アングル材の他方の辺同士間に形成された隙間から外側へ突出する前記支持板材の他方の先端部に第４結合用ボルト・ナットにより一端がそれぞれ固定された第７及び第８バンド部材と、
前記第１及び第２アングル材の一方の辺同士間に形成された隙間から外側へ突出する前記支持板材の一端と前記第１アングル材の内側角部に当接しかつ前記両辺が形成する開口部の角度が二分される中間に位置する前記第１バンド補助部材との間に配置された前記第１バンド部材と前記第６バンド部材の端部を圧接させる第１締め付け用ボルト・ナットと、
前記第１及び第２アングル材の一方の辺同士間に形成された隙間から外側へ突出する前記支持板材の他端と前記第１アングル材の内側角部に当接しかつ前記両辺が形成する開口部の角度が二分される中間に位置する前記第１バンド補助部材との間に配置された前記第２バンド部材と前記第７バンド部材の端部を圧接させる第２締め付け用ボルト・ナットと、
前記第１及び第２アングル材の一方の辺同士間に形成された隙間から外側へ突出する前記支持板材の一端と前記第２アングル材の内側角部に当接しかつ前記両辺が形成する開口部の角度が二分される中間に位置する前記第２バンド補助部材との間に配置された前記第４バンド部材と前記第５バンド部材の端部を圧接させる第３締め付け用ボルト・ナットと、
前記第１及び第２アングル材の一方の辺同士間に形成された隙間から外側へ突出する前記支持板材の他端と前記第２アングル材の内側角部に当接しかつ前記両辺が形成する開口部の角度が二分される中間に位置する前記第２バンド補助部材との間に配置された前記第３バンド部材と前記第８バンド部材の端部を圧接させる第４締め付け用ボルト・ナットと、
前記支持板材の延在端部に設けられ前記付帯設備が取り付けられる支持体とを有する付帯設備取付装置において、
前記第１〜４結合用ボルト・ナットおよび前記第１〜４締め付け用ボルト・ナットは、前記バンド部材の前記一端部および前記他端部に、それぞれ複数組配置する構成とはせずに、それぞれ１組のみ配置するようにし、
前記第１〜８バンド部材の外面には補強用リブが設けられており、前記補強用リブは８つの前記バンド部材の上部または下部のいずれか一方に設けられている
ことを特徴とする付帯設備取付装置。
【手続補正２】
【補正対象書類名】明細書
【補正対象項目名】００１１
【補正方法】変更
【補正の内容】
【００１１】
本発明に係る既設構造物の補強装置は、断面がＬ形を呈する両辺を有するアングル材を用いて構成されており、補強装置は、アングル材の両辺をそれぞれの外側面側から挟持するように配置される２つのバンド部材と、アングル材の内側にアングル材の両辺が形成する角度を二分するようにアングル材の内側角部から離間する方向に延在して配置されるバンド補助部材と、アングル材から突出するバンド補助部材の延在端部と、各バンド部材の一端部とを結合する結合用ボルト・ナットと、アングル材の両辺が形成する外側角部側で各バンド部材の他端部を互いに接近する方向に締め付けることにより各バンド部材をアングル材の辺の外側面に沿い摺接させながら外側角部側へ移動し、バンド補助部材の端縁をアングル材の内側角部に押圧することよりバンド補助部材をアングル材に一体に固定する締め付け用ボルト・ナットとを有する既設構造物の補強装置において、結合用ボルト・ナットおよび締め付け用ボルト・ナットは、バンド部材の一端部および他端部に、それぞれ複数組配置する構成とはせずに、それぞれ１組のみ配置するようにしたことを特徴とするものである。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
断面がＬ形を呈する両辺を有するアングル材を用いて構成されている既設構造物の補強装置であって、
前記補強装置は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル材の辺の外側面に沿い摺接させながら前記外側角部側へ移動し、前記バンド補助部材の端縁を前記アングル材の内側角部に押圧することにより前記バンド補助部材を前記アングル材に一体に固定する締め付け用ボルト・ナットと、
を有する既設構造物の補強装置において、
前記結合用ボルト・ナットおよび前記締め付け用ボルト・ナットは、前記バンド部材の前記一端部および前記他端部に、それぞれ複数組配置する構成とはせずに、それぞれ１組のみ配置するようにし、
前記バンド部材の外面には補強用リブが設けられており、
前記補強用リブは、前記２つのバンド部材の上部または下部のいずれか一方に設けられており、
前記補強用リブは、前記２つのバンド部材を組み合わせて前記アングル材に取り付けた時に前記２つのバンド部材の補強用リブが互いに上下異なる側に位置するようにした
ことを特徴とする既設構造物の補強装置。
【請求項２】
請求項１記載の既設構造物の補強装置において、
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部であることを特徴とする既設構造物の補強装置。
【請求項３】
請求項１または２記載の既設構造物の補強装置において、
組み合わせる２つの前記バンド部材において、
いずれか一方の前記バンド部材の長手方向の端部が他方のバンド部材の長手方向の端部を覆うように屈曲している
ことを特徴とする既設構造物の補強装置。
【請求項４】
構造物を構成する断面がＬ形を呈する両辺を有するアングル材に付帯設備を取り付けるための付帯設備取付装置であって、
前記付帯設備を前記アングル材に固定する固定具を備え、
前記固定具は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、
前記バンド補助部材の延在端部に設けられ前記付帯設備が取り付けられる支持体と
を有する付帯設備取付装置において、
前記結合用ボルト・ナットおよび前記締め付け用ボルト・ナットは、前記バンド部材の前記一端部および前記他端部に、それぞれ複数組配置する構成とはせずに、それぞれ１組のみ配置するようにし、
前記バンド部材の外面には補強用リブが設けられており、
前記補強用リブは、前記２つのバンド部材の上部または下部のいずれか一方に設けられており、
前記補強用リブは、前記２つのバンド部材を組み合わせて前記アングル材に取り付けた時に前記２つのバンド部材の補強用リブが互いに上下異なる側に位置するようにした
ことを特徴とする付帯設備取付装置。
【請求項５】
請求項４記載の付帯設備取付装置において、
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部であることを特徴とする付帯設備取付装置。
【請求項６】
請求項４または５記載の付帯設備取付装置において、
組み合わせる２つの前記バンド部材において、
いずれか一方の前記バンド部材の長手方向の端部が他方のバンド部材の長手方向の端部を覆うように屈曲している
ことを特徴とする付帯設備取付装置。